(57)【要約】      （修正有）【課題】呼吸器系の健康を改善し、感染症に対する抵抗力を高め、哺乳動物の肺の中のハイポチオシアン酸イオンを増加させるための方法および装置を提供する。【解決手段】方法は、非水和物であってオゾンを含まない過酸化水素ガスを生成する工程と、主に過酸化水素ガスを含むガスを環境に差し向ける工程と、過酸化水素ガスが哺乳動物の肺のハイポチオシアン酸イオンの増加に作用するように被験者を環境に曝す工程と、が含まれる。【選択図】なし【特許請求の範囲】
【請求項１】
人間または動物への使用のための密閉空間であって、
少なくとも０．０１百万分率の濃度で精製過酸化水素ガス（ＰＨＰＧ）を含み、
前記ＰＨＰＧが非水和物であり、オゾンを含まないことを特徴とする密閉空間。
【請求項２】
住居であって、
少なくとも０．０１百万分率の濃度で精製過酸化水素ガス（ＰＨＰＧ）を含み、
前記ＰＨＰＧが非水和物であり、オゾンを含まないものであることを特徴とする住居。
【請求項３】
密閉空間内の空気の質を改善する方法であって、
少なくとも０．０１百万分率の精製過酸化水素ガス（ＰＨＰＧ）濃度を導入する工程を含み、
前記ＰＨＰＧが非水和物であり、オゾンを含まないものであり、
前記気流を屋内再循環気流から導入することを特徴とする方法。
【請求項４】
精製過酸化水素ガス（ＰＨＰＧ）含有環境を作成するための方法であって、
実質的に水和とオゾンを含まないＰＨＰＧを生成する工程と、
少なくとも０．０１百万分率（ｐｐｍ）の最終濃度を達成するまで前記ＰＨＰＧを蓄積する工程とを含む方法。
【請求項５】
精製過酸化水素ガス（ＰＨＰＧ）を含む密閉空間を設けるための方法であって、
少なくとも０．０１百万分率（ｐｐｍ）の最終濃度でＰＨＰＧガスを維持するために十分な速度で前記環境に、実質的に水和とオゾンを含まないＰＨＰＧを供給する工程を含む方法。
【請求項６】
治療の方法であって、
居住に適した密閉空間を含む治療環境を設ける工程であって、前記治療環境が少なくとも０．０１百万分率の精製過酸化水素ガス（ＰＨＰＧ）濃度を含み、前記ＰＨＰＧが非水和物であり、オゾンを含まないものである工程と、
治療を必要とする被験者を治療期間にわたって前記治療環境に曝す工程とを含む方法。
【請求項７】
呼吸器系内のハイポチオシアン酸イオンの濃度を高めるための方法であって、
実質的に水和とオゾンを含まない精製過酸化水素ガス（ＰＨＰＧ）を生成する工程と、
動物の肺に前記過酸化水素ガスを供給し、それによって、ハイポチオシアン酸イオンの濃度を高める工程とを含む方法。
【請求項８】
前記供給が、前記動物による吸入のために環境に前記ＰＨＰＧを差し向ける工程、または、動物の肺に直接前記ＰＨＰＧを差し向ける工程を含むことを特徴とする、請求項７に記載の方法。
【請求項９】
被験者の呼吸器疾病を治療するための方法であって、
少なくとも０．０１百万分率（ｐｐｍ）の最終濃度で、実質的に水和とオゾンを含まない精製過酸化水素ガス（ＰＨＰＧ）を含む環境を設ける工程と、
少なくとも１つの期間にわたって前記被験者を前記環境に曝す工程と、を含み、
前記治療が、呼吸器感染症の重篤度の低減、呼吸器感染症の持続期間の短縮、アレルギーの重篤度の低減、呼吸器感染症の伝染の防止、集団内での呼吸器感染症の伝染の低減、肺機能の改善、または、それらのいずれかの組み合わせを含む、ことを特徴とする方法。
【請求項１０】
前記肺機能の改善が、静的肺容量の増加、全肺気量の増加、動脈血液ガスの酸素の分圧の上昇、残気量の減少、または、それらのいずれかの組み合わせを含むことを特徴とする、請求項９に記載の方法。
【請求項１１】
前記肺機能が肺活量測定を使用して測定されることを特徴とする、請求項９に記載の方法。
【請求項１２】
前記環境が密閉空間であることを特徴とする、請求項９に記載の方法。
【請求項１３】
前記期間が、連続して少なくとも１５、少なくとも３０、少なくとも６０、少なくとも９０、少なくとも１２０、少なくとも１８０、少なくとも２４０、少なくとも３００、少なくとも３６０、少なくとも４２０、または、少なくとも４８０分であることを特徴とする、請求項９に記載の方法。
【請求項１４】
前記期間が、２４時間または４８時間の期間で少なくとも１５、少なくとも３０、少なくとも６０、少なくとも９０、または、少なくとも１２０分であることを特徴とする、請求項９に記載の方法。
【請求項１５】
前記期間が、７日間で少なくとも８、少なくとも１６、または、少なくとも２４時間であることを特徴とする、請求項９に記載の方法。
【請求項１６】
曝露の総時間が、少なくとも１、２、３、４、５、６、７、８、または、９時間以上であることを特徴とする、請求項９に記載の方法。
【請求項１７】
前記曝露を、毎日、毎週、隔週、または、毎月、１、２、３、または、４回以上反復することを特徴とする、請求項９に記載の方法。
【請求項１８】
前記環境が、少なくとも０．１ｐｐｍ、少なくとも０．２ｐｐｍ、少なくとも０．３ｐｐｍ、少なくとも０．４ｐｐｍ、少なくとも０．５ｐｐｍ、または、少なくとも１．０ｐｐｍの最終濃度でＰＨＰＧを含むことを特徴とする、請求項９に記載の方法。
【請求項１９】
治療を必要とする被験者の呼吸器症状を治療するための方法であって、
前記必要とする被験者に、少なくとも０．０１百万分率（ｐｐｍ）の最終濃度で、実質的に水和とオゾンを含まない精製過酸化水素ガス（ＰＨＰＧ）を含む環境を提供する工程を含む方法。
【請求項２０】
被験者の呼吸器感染症の重篤度を低減するための方法であって、
少なくとも０．０１百万分率（ｐｐｍ）の最終濃度で、実質的に水和とオゾンを含まない精製過酸化水素ガス（ＰＨＰＧ）を含むＰＨＰＧ含有環境を設ける工程と、
前記被験者を前記ＰＨＰＧ含有環境に１つの期間にわたり曝す工程と、を含み、
前記呼吸器感染症の重篤度が低減する、ことを特徴とする方法。
【請求項２１】
前記呼吸器感染症が、重症急性呼吸器症候群（ＳＡＲＳ）、中東呼吸器症候群（ＭＥＲＳ）、エボラ出血熱、豚繁殖・呼吸障害症候群ウイルス（ＰＲＲＳＶ）感染症、および、呼吸器合胞体ウイルスからなる群から選択されることを特徴とする、請求項２０に記載の方法。
【請求項２２】
被験者の呼吸器系内の病原体を防除するための方法であって、
実質的に水和とオゾンを含まない精製過酸化水素ガス（ＰＨＰＧ）を環境に対して生成する工程であって、前記環境は少なくとも０．０１百万分率の最終濃度で前記ＰＨＰＧを蓄積する工程と、
１つの期間にわたって前記ＰＨＰＧ含有環境に被験者を曝す工程と、を含む方法。
【請求項２３】
前記病原体がウイルス、細菌、真菌、および、寄生生物からなる群から選択されることを特徴とする、請求項２２に記載の方法。
【請求項２４】
前記呼吸器系が、気管、気管支、伝達細気管支、呼吸細気管支、肺細嚢、口腔、および、鼻咽頭腔の１つまたは複数を含むことを特徴とする、請求項２２に記載の方法。
【請求項２５】
前記真菌が、Aspergillus属からのものであることを特徴とする、請求項２３に記載の方法。
【請求項２６】
前記真菌が、Histoplasma capsulatum、blastomyces、Cryptococcus neoformans、Pneumocystis jiroveci、Coccidioides immitis、Blastomyces dermatitidis、Pneumocystis jirovecii、Sporothrix schenckii、Cryptococcus neoformans、Aspergillus fumigatus、および、Candida albicansからなる群から選択されることを特徴とする、請求項２３に記載の方法。
【請求項２７】
前記ウイルスが、２本鎖ＤＮＡウイルス、１本鎖ＤＮＡウイルス、２本鎖ＲＮＡウイルス、プラスセンス１本鎖ＲＮＡウイルス、マイナスセンス１本鎖ＲＮＡウイルス、１本鎖ＲＮＡレトロウイルス、または、２本鎖ＤＮＡレトロウイルスであることを特徴とする、請求項２３に記載の方法。
【請求項２８】
前記細菌が、Acinetobacter baumannii、Mycoplasma、Pneumococcus、Chlamydophila pneumoniae、Mycobacterium tuberculosis、Streptococcus pneumoniae、Haemophilus属各種、または、Staphylococcus aureusであることを特徴とする、請求項２３に記載の方法。
【請求項２９】
前記寄生生物が、原生動物、線形動物、または、吸虫であることを特徴とする、請求項２３に記載の方法。
【請求項３０】
前記寄生生物が、Toxoplasma gondii、Strongyloides stercoralis、Ascaris lumbricoides、Plasmodium malariae、Echinococcus granulosus、Dirofilaria immitis、Paragonimus westermani、Entamoeba histolytica、Ascaris lumbricoides、Ancylostoma duodenale、Necator americanus、Toxocara canis、Schistosoma mansoni、Schistosomahaematobiu、Schistosoma japanicum、Strongyloides stercoralis、Wuchereria bancrofti、および、Brugia malayiからなる群から選択されることを特徴とする、請求項２９に記載の方法。
【請求項３１】
前記被験者が、人間、実験動物、家庭用ペット、または、家畜動物からなる群から選択されることを特徴とする、請求項２２に記載の方法。
【請求項３２】
前記家畜動物が、ウシ、ウマ、ヒツジ、ヤギ、ブタ、ニワトリ、アヒル、ガン、アルパカ、バンテン、バイソン、ラクダ、シカ、ロバ、リャマ、ウサギ、トナカイ、または、ヤクからなる群から選択されることを特徴とする、請求項３１に記載の方法。
【請求項３３】
前記家庭用ペットが、イヌ、ネコ、鳥、爬虫類、または、齧歯類であることを特徴とする、請求項３１に記載の方法。
【請求項３４】
前記実験動物が、サル、ウサギ、モルモット、ラット、または、ハツカネズミであることを特徴とする、請求項３１に記載の方法。
【請求項３５】
前記防除が、前記病原体による被験者の感染症の防止、被験者から第２の被験者への前記病原体の伝染の防止、集団内の病原体に感染した被験者の数の低減、前記病原体による感染症の症状の数および重篤度の低減、被験者が前記病原体に感染している期間の長さの低減、前記病原体に感染した被験者が取る病欠日数の低減、または、被験者による市販薬の使用の低減を含むことを特徴とする、請求項２２に記載の方法。
【請求項３６】
呼吸器感染症を防止するための方法であって、
実質的に水和とオゾンを含まない過酸化水素ガスを生成する工程と、
前記過酸化水素ガスを環境に供給する工程であって、前記環境が少なくとも０．０１百万分率の最終濃度で前記ＰＨＰＧを蓄積する工程と、
呼吸器感染症のリスクを持つ動物を前記環境に慢性的に曝す工程と、を含む方法。
【請求項３７】
呼吸器感染症を有する第１の被験者から前記呼吸器感染症を有さない第２の被験者への前記呼吸器感染症の伝染を低減するための方法であって、
少なくとも０．０１百万分率の最終濃度で、実質的に水和とオゾンを含まない精製過酸化水素ガス（ＰＨＰＧ）を含む環境を設ける工程と、
前記呼吸器感染症を有する前記第１の被験者を１つまたは複数の期間にわたり前記環境に曝す工程と、を含む方法。
【請求項３８】
前記期間が、少なくとも１週間にわたって１日当たり少なくとも１時間であることを特徴とする、請求項９に記載の方法。
【請求項３９】
被験者の肺の中の内因性Ｈ２Ｏ２を補完する方法であって、
実質的に水和とオゾンを含まない精製過酸化水素ガス（ＰＨＰＧ）を含む環境に前記被験者を曝す工程を含み、
前記環境が少なくとも０．０１百万分率の最終濃度で前記ＰＨＰＧを蓄積する、ことを特徴とする方法。
【請求項４０】
被験者の呼吸器感染症に対する宿主防御を強化するための方法であって、
少なくとも０．０１百万分率の最終濃度で、実質的に水和とオゾンを含まない精製過酸化水素ガス（ＰＨＰＧ）を含む環境を設ける工程と、
前記被験者を１つまたは複数の期間にわたり前記環境に曝し、これによって、前記被験者の肺の中のハイポチオシアン酸イオンのレベルを高める工程と、を含む方法。
【請求項４１】
被験者の呼吸器感染症に対する宿主防御を刺激するための方法であって、
少なくとも０．０１百万分率の最終濃度で、実質的に水和とオゾンを含まない精製過酸化水素ガス（ＰＨＰＧ）を含む環境を設ける工程と、
前記被験者を１つまたは複数の期間にわたり前記環境に曝し、これによって、前記被験者の肺の中のハイポチオシアン酸イオンのレベルを高める工程と、を含む方法。
【請求項４２】
被験者の肺に影響を及ぼす症状を管理する方法であって、
実質的に水和とオゾンを含まない精製過酸化水素ガス（ＰＨＰＧ）を環境に対して生成する工程であって、前記環境が少なくとも０．０１百万分率の最終濃度で前記ＰＨＰＧを蓄積する工程と、
前記被験者を前記ＰＨＰＧ含有環境に１つの期間にわたり曝す工程と、を含む方法。
【請求項４３】
前記症状が、慢性閉塞性肺疾患（ＣＯＰＤ）、肺炎、アレルギー、喘息、早期接触、および、嚢胞性線維症からなる群から選択されることを特徴とする、請求項４２に記載の方法。
【請求項４４】
前記曝露は、深呼吸運動、体位ドレナージ、刺激肺活量測定、および、胸部理学療法からなる群から選択された呼吸器治療法との組み合わせとなっていることを特徴とする、請求項４２に記載の方法。
【請求項４５】
被験者の呼吸器感染症の重篤度を低減する方法であって、
少なくとも０．０１百万分率の最終濃度で、実質的に水和とオゾンを含まない精製過酸化水素ガス（ＰＨＰＧ）を含む環境を設ける工程と、
前記被験者を前記環境に１つまたは複数の期間にわたり曝す工程と、を含み、
前記呼吸器感染症の重篤度を低減する、ことを特徴とする方法。
【請求項４６】
被験者の肺の中のラクトペルオキシダーゼ（ＬＰＯ）による触媒でのハイポチオシアン酸イオン産生の速度を高める方法であって、
少なくとも０．０１百万分率の最終濃度で、実質的に水和とオゾンを含まない精製過酸化水素ガス（ＰＨＰＧ）を含む環境を設ける工程と、
１つまたは複数の期間にわたって前記被験者を前記環境に曝す工程と、を含む方法。
【請求項４７】
被験者の肺機能を改善する方法であって、
少なくとも０．０１百万分率の最終濃度で、実質的に水和とオゾンを含まない精製過酸化水素ガス（ＰＨＰＧ）を含む環境を設ける工程と、
前記被験者を前記環境に１つまたは複数の期間にわたり曝す工程と、を含む方法。
【請求項４８】
被験者の呼吸器疾病の防止、治療、または、管理に適した環境の作成のための過酸化水素ガス（ＰＨＰＧ）の使用であって、
実質的に水和とオゾンを含まない過酸化水素ガスを生成する工程と、
環境に前記過酸化水素ガスを供給する工程であって、前記環境が少なくとも０．０１百万分率の最終濃度で前記ＰＨＰＧを蓄積する工程と、を含む使用。
【請求項４９】
被験者の占有に適した環境を作成するための方法であって、
精製過酸化水素ガス（ＰＨＰＧ）を製造するための装置を設ける工程を含み、
前記ＰＨＰＧが実質的に水和とオゾンを含まないものであり、前記環境の感染性因子、アレルギー誘発物質、または、これらの組み合わせのレベルが低減した、ことを特徴とする方法。
【発明の詳細な説明】
【技術分野】
【０００１】
関連出願の相互参照
本出願は、全体が参照によって本明細書に組み込まれる２０１３年８月２０日に出願の米国特許仮出願第６１／８６７９７１号明細書の優先権を主張するものである。
【０００２】
本開示は、水和とオゾンを含まない精製過酸化水素ガス（ＰＨＰＧ）を含む居住可能な環境を設けることによって被験者の呼吸器系の健康を改善するための方法に関する。本開示は、感染症および慢性的症状を含めた呼吸器系の症状の治療、緩和、および、防止のための密閉空間、居住施設、および、環境にも関する。
【背景技術】
【０００３】
居住者を有する密閉空間内の空気の質は、人間の健康と安全を促進するうえで重要な役割を果たしている。人々が一般に理解している空気の質とは、空気の組成、ならびに、様々な汚染物質、アレルギー誘発物質、病原体、および、寄生生物の有無についての評価を指す。密閉空間内の空気の質は、喘息、慢性閉塞性肺疾患（ＣＯＰＤ）、嚢胞性線維症、気管支炎、副鼻腔炎、結核、肺炎、ならびに、呼吸器系の他の無数の疾患および病状を含めた人間の広範な症状に影響を及ぼす。様々なアレルギー誘発物質および非感染性の病原体、ならびに、有害事象および呼吸困難のきっかけとなり得る物質がそうであるように、多くの感染性因子も空中を浮遊していることがある。屋内環境の空気の質を改善することで、呼吸器系の病状に払う犠牲を回避、緩和、または、低減することが可能となる。
【０００４】
アレルギー誘発物質、病原体、および、寄生生物についてのリスクは屋内の密閉空間に限られたものではないが、屋内では、しばしば、より迅速に伝染および拡散し得るものとなっている。人々は大部分の時間を屋内で過ごしている。米国では、人々が約９０％の時間を屋内で過ごしている。このうち、６９％の時間は自宅で過ごし、１８％は職場などの屋内の他の何らかの種類の場所で過ごしていた。（米環境保護庁、１９８９、Report to Congress on indoor air quality:Volume 2、EPA/400/1−89/001C.ワシントン特別区）
【０００５】
空気の質を改善する手法は、病原体およびアレルギー誘発物質を濾過する取り組み、ならびに、効果的、非毒性、かつ、非腐食性の病原体除去技術を提供する空気処理システムの開発を全般的に含む。当技術分野における暖房、換気、および、空調（ＨＶＡＣ）の各システムは、生きている、および、生きていない病原体の両方を死滅させ、無力化し、または、破壊するために紫外線光、オゾン、および、他の活性酸素種を採用した別個の密閉システムに汚染された空気を通過させることによって空中を浮遊する病原体の無力化を提供している。この装置の例は、例えば、国際公開第２００２／０１６０１０号パンフレットおよび米国特許第７４０７６３３号に見出すことが可能である。このようなＨＶＡＣシステムは、効果的を発揮するように空気がシステムを通過するという要件によって制限されている。重すぎて現行の空気処理システムを通過しない病原体、アレルギー誘発物質、および、寄生生物は逃れてしまう。
【０００６】
病院、養護施設、および、ホスピスなどの恒久的な施設、ならびに、保健上の重大事態の発生中に設立する臨時の施設を含めた医療施設における空気処理システムから空中に浮遊する病原体を除去する特別な必要性がある。疫学的データは、建物内での、および、特に換気システムによる呼吸器疾患の拡散が現行の技術では対処していない重大な問題であることを示している。医療施設に加えて、例えば、疫病、大規模な流行病、化学物質および生物による攻撃を含めた重大な事態の際に、感染性病原体の伝染を低減する方法に対する必要性がある。屋内環境での呼吸器感染症の伝染は公衆衛生上の主要な問題を象徴し、事前の取り組みは、密閉環境における空気のその場での処理よりも、むしろ循環している空気の分離処理に限られている。
【０００７】
２０１２年５月１日に公告の米国特許第８１６８１２２号および２０１４年４月１日に公告の米国特許第８６８５３２９号は、精製過酸化水素ガス（ＰＨＰＧ）を製造するための装置および方法、ならびに、環境の微生物防除、消毒、および、矯正のためのＰＨＰＧの使用を提供している。さらに、明細書は、水和、オゾン、プラズマ種、および／または、有機種を含まない精製過酸化水素ガス（ＰＨＰＧ）を生成するための方法を提供している。環境にＰＨＰＧを供給することは、好ましくは表面上および空中の両方で、環境内での微生物防除、消毒、矯正、または、それらの組み合わせをもたらす。米国特許第８１６８１２２号および第８６８５３２９号は、その全体が参照によって本明細書に組み込まれている。
【０００８】
２０１３年５月１７日に出願の米国出願第６１／８２４６８９号の優先権を主張する２０１４年５月１９日に出願の国際特許出願第ＰＣＴ／ＵＳ２０１４／０３８６５２号（’６５２号出願）は、ＰＨＰＧを使用した昆虫およびクモ形動物を含めた節足動物の防除のための方法を提供している。国際特許出願第ＰＣＴ／ＵＳ２０１４／０３８６５２号は、その全体が参照によって本明細書に組み込まれている。
【０００９】
２００７年８月７日に出願の米国出願第６０／９５４５６６９号および２００８年２月２８日に出願の米国出願第６１／０３１５８０号の優先権を主張する２００８年８月７日に出願の国際特許出願第ＰＣＴ／ＵＳ２００８／０７２４５４号（’４５４号出願）は、環境の微生物防除および／または消毒／矯正をも提供するための方法および装置を提供している。国際特許出願第ＰＣＴ／ＵＳ２００８／０７２４５４号は、その全体が参照によって本明細書に組み込まれている。
【００１０】
２００９年２月１３日に出願の米国出願第６１／１５２５８１号および２００９年１１月４日に出願の米国出願第６１／２５８００５号の優先権を主張する２０１０年２月１１日に出願の国際特許出願第ＰＣＴ／ＵＳ２０１０／０２３９０３号（’９０３号出願）は、環境の微生物防除および／または消毒／矯正を提供するための方法および装置を提供している。国際特許出願第ＰＣＴ／ＵＳ２０１０／０２３９０３号は、その全体が参照によって本明細書に組み込まれている。
【００１１】
各種の脊椎動物の気道は、微生物および病原体に対する先天的防御を備えている。樹状気管支肺の分泌粘液および頻繁に見られる分岐点は、粘膜繊毛による持ち上げ機構および咳反射によって排出された吸入病原体を捕らえる。呼吸器系は、白血球、抗体、および、免疫システムの他の態様を含めた細胞防御機構も備えている。呼吸器系の先天的防御の他の態様は、気道の分泌物中に存在する細胞ではない受動的な機構を含む。
【００１２】
気道は、抗菌作用を有する各分泌物を備えている。各分泌物には、免疫グロブリン、補体因子、酵素、および、様々な結合蛋白質がある。諸研究は、先天的防御システムの主要な構成要素がラクトペルオキシダーゼ（ＬＰＯ）であることを示している。ＬＰＯは多くの分泌物中に存在し、気道分泌物中に高レベルで見出される。El−Chemaly他、「Hydrogen Peroxide−Scavenging Properties of Normal Human Airway Secretions」、American Journal of Respiratory and Critical Care Medicine、167:425〜430(2003)を参照されたい。ＬＰＯは、チオシアネートをハイポチオシアネートに酸化するために過酸化水素を利用している。
【化１】
2020151500.tif 000002
（Thomas他、「Lactoperoxidase,peroxide,thiocyanate antimicrobial system:correlation of sulfhydryl oxidation with antimicrobial action」、Infec.Immun.20(2):456〜63(1978)。ラクトペルオキシダーゼ触媒反応は、ＳＣＮ−という寿命の短い中間酸化生成物を産生し、抗菌作用をもたらす。Pruitt他、「Lactoperoxidase−catalyzed oxidation of thiocyanate: polarographic study of the oxidation products」、Biochemistry 21(3):562〜7(1982)。チオシアネートは気道分泌物中に大量に存在する。Peroxidases in Chemistry and Biology、Vol.1、J.Everse、K.E.Everse、および、M.B.Grisham、編集者、CRC Press.Boca Raton、FL.144〜180(1991)におけるReiter他、「Lactoperoxidase: biological funtions」。
【００１３】
ハイポチオシアネートはハイポチオシアン酸と平衡して存在する。
【化２】
2020151500.tif 000003
変化していないＨＯＳＣＮは、２つの形態のうちの殺菌性の強い方であると考えられる。Ｔｈｏｍａｓ他を参照されたい。理論によって制限されないために、細菌、および、恐らくは他の病原体にも対する（ＯＳＣＮ）−の作用がスルフヒドリル（ＳＨ）酸化によって起こると報告されていることを考える。同文献を参照されたい。細菌細胞膜中での−ＳＨ基の酸化による細菌内に観察された諸効果のうちに、グルコースを輸送する能力の喪失、ならびに、カリウムイオン、アミノ酸、および、ペプチドの漏出がある。ＯＳＣＮは変異原性作用が欠如しており、安全であると考えられる。White他、「Peroxidase−Thiocyanate−Peroxide Antibacterial System Does Not Damage DNA」、Antimicrob．Agents Chemother.，23(2):267〜72(1983)を参照されたい。
【発明の概要】
【発明が解決しようとする課題】
【００１４】
屋内環境にＰＨＰＧを供給する試験システムの過程で、ＰＨＰＧ含有環境が、その空間を断続的に占有していた人々において、呼吸器感染症の発生を低減し、慢性的な呼吸器症状を改善したことが観察された。理論によって限定されないために、ＰＨＰＧに曝した被験者の健康の改善が吸器系の分泌物中の抗菌性ハイポチオシアネートの形成の増加の結果であることを考える。驚くことに、被験者のＰＨＰＧへの一定した被曝が呼吸器の健康の改善を達成するために必要ではないことが観察されている。
【００１５】
低減し得る前に過酸化水素ガスを即座に除去することを許容するという構造を利用して、気体の過酸化水素は、例えば、二酸化チタン、酸化ジルコニウム、（銅、ロジウム、銀、白金、金などの）共触媒をドープした二酸化チタン、または、他の適した金属酸化物光触媒などの金属触媒を使用した気相光触媒作用を含む、液体または気体の形態の水（または、浸透作用によって分離可能な水素イオンを供給可能な他の化合物）を同時に酸化し、酸素ガスを低減させる、当業者に知られているいずれかの適した処理を含むがこれに限定しない当技術分野で知られているいずれかの適した方法で生成してよい。精製した気体の過酸化水素ガスは、低減し得る前に過酸化水素ガスを即座に除去することを許容するという構造を利用して、いずれかの適した金属で作成した、または、金属酸化物セラミックで構築した陽極および陰極を使用した電気分解処理によって製造してもよい。代案として、過酸化水素ガスは、低減し得る前に過酸化水素ガスを即座に除去することを許容するという構造を利用して、適した支持基板上での気体の水と酸素分子の高周波励起によって製造してもよい。
【課題を解決するための手段】
【００１６】
本開示は、少なくとも０．０１百万分率の濃度で精製過酸化水素ガス（ＰＨＰＧ）を含む人間または動物による使用のための密閉空間であって、前記ＰＨＰＧが非水和物であり、オゾンが含まれない密閉空間を提供し、かつ、含む。
【００１７】
別の態様において、本開示は、少なくとも０．０１百万分率の濃度で精製過酸化水素ガス（ＰＨＰＧ）を有する居住施設であって、前記ＰＨＰＧが非水和物であり、オゾンが含まれない居住施設を提供し、かつ、含む。
【００１８】
さらなる態様において、本開示は、実質的に水和とオゾンを含まない精製過酸化水素ガス（ＰＨＰＧ）を生成する工程と、少なくとも０．０１百万分率（ｐｐｍ）の最終濃度を達成するまで前記ＰＨＰＧを蓄積する工程と、を含む精製過酸化水素ガス含有環境を作成するための方法を提供し、かつ、含む。
【００１９】
一態様において、本開示は、実質的に水和とオゾンを含まない精製過酸化水素ガス（ＰＨＰＧ）を生成する工程と、少なくとも０．０１百万分率（ｐｐｍ）の最終濃度を達成するまで前記ＰＨＰＧを蓄積する工程と、を含むＰＨＰＧ含有環境を作成するための方法を提供し、かつ、含む。
【００２０】
一態様において、本開示は、少なくとも０．０１百万分率（ｐｐｍ）の最終濃度で精製過酸化水素ガス（ＰＨＰＧ）を維持するために十分な速度で実質的に水和とオゾンを含まないＰＨＰＧを環境に供給する工程を含むＰＨＰＧを含む密閉空間を提供するための方法を提供し、かつ、含む。
【００２１】
一態様において、本開示は、居住に適した密閉空間を含む処理環境を設ける工程であって、前記処理環境が少なくとも０．０１百万分率の精製過酸化水素ガス（ＰＨＰＧ）濃度を含み、ＰＨＰＧが非水和物であり、オゾンが含まれない工程と、治療が必要な被験者を治療の期間にわたって治療環境に曝す工程と、を含む処理の方法を提供し、かつ、含む。
【００２２】
一態様において、本開示は、少なくとも０．０１百万分率（ｐｐｍ）の最終濃度で、実質的に水和とオゾンを含まない精製過酸化水素ガス（ＰＨＰＧ）を含む環境を設ける工程と、少なくとも１つの期間にわたって被験者を環境に曝す工程と、を含み、治療が、呼吸器感染症の重篤度を低減、呼吸器感染症の持続期間の短縮、アレルギーの重篤度の低減と、呼吸器感染症の伝染の防止、集団内の呼吸器感染症の伝染の低減、肺機能の改善、または、それらのいずれかの組み合わせを含む、被験者の呼吸器疾患を治療するための方法を提供し、かつ、含む。
【００２３】
一態様において、本開示は。少なくとも０．０１百万分率（ｐｐｍ）の最終濃度で、実質的に水和とオゾンを含まない精製過酸化水素ガス（ＰＨＰＧ）を含む環境を、必要とする被験者に提供する工程を含む、治療が必要な被験者の呼吸器症状を治療するための方法を提供し、かつ、含む。
【００２４】
一態様において、本開示は、少なくとも０．０１百万分率（ｐｐｍ）の最終濃度で、実質的に水和とオゾンを含まない精製過酸化水素ガス（ＰＨＰＧ）を含むＰＨＰＧ含有環境を設ける工程と、１つの期間にわたってＰＨＰＧ含有環境に被験者を曝す工程と、を含み、呼吸器感染症の重篤度を低減する、被験者の呼吸器感染症の重篤度を低減するための方法を提供し、かつ、含む。
【００２５】
一態様において、本開示は、環境に対して実質的に水和とオゾンを含まない精製過酸化水素ガス（ＰＨＰＧ）を生成する工程であって、環境は少なくとも０．０１百万分率の最終濃度でＰＨＰＧを蓄積する工程と、被験者を１つの期間にわたってＰＨＰＧ含有環境に曝す工程と、を提供し、かつ、含む。
【００２６】
一態様において、本開示は、実質的に水和とオゾンを含まない精製過酸化水素ガスを生成する工程と、過酸化水素ガスを環境に供給する工程であって、環境が少なくとも０．０１百万分率の最終濃度でＰＨＰＧを蓄積する工程と、呼吸器感染症のリスクのある動物を環境に慢性的に曝す工程と、を含む呼吸器感染症を防止するための方法を提供し、かつ、含む。
【００２７】
一態様において、本開示は、少なくとも０．０１百万分率の最終濃度で、実質的に水和とオゾンを含まない精製過酸化水素ガス（ＰＨＰＧ）を含む環境を設ける工程と、呼吸器感染症を有する第１の被験者を１つまたは複数の期間にわたって環境に曝す工程と、を含む呼吸器感染症を有する第１の被験者から呼吸器感染症を有さない第２の被験者への呼吸器感染症の伝染を低減するための方法を提供し、かつ、含む。
【００２８】
一態様において、本開示は、実質的に水和とオゾンを含まない精製過酸化水素ガス（ＰＨＰＧ）を含む環境に被験者を曝す工程を含み、環境が少なくとも０．０１百万分率の最終濃度でＰＨＰＧを蓄積する、被験者の肺の中の内因性Ｈ２Ｏ２を補完する方法を提供し、かつ、含む。
【００２９】
一態様において、本開示は、少なくとも０．０１百万分率の最終濃度で、実質的に水和とオゾンを含まない精製過酸化水素ガス（ＰＨＰＧ）を含む環境を設ける工程と、被験者を１つまたは複数の期間にわたって環境に曝し、これによって、被験者の肺の中のハイポチオシアン酸イオンのレベルを高める工程と、を含む、被験者の呼吸器感染症に対する宿主防御を強化するための方法を提供し、かつ、含む。
【００３０】
一態様において、本開示は、少なくとも０．０１百万分率の最終濃度で、実質的に水和とオゾンを含まない精製過酸化水素ガス（ＰＨＰＧ）を含む環境を設ける工程と、被験者を１つまたは複数の期間にわたり環境に曝し、これによって、被験者の肺の中のハイポチオシアン酸イオンのレベルを高める工程と、を含む被験者の呼吸器感染症に対する宿主防御を刺激するための方法を提供し、かつ、含む。
【００３１】
一態様において、本開示は、実質的に水和とオゾンを含まない精製過酸化水素ガス（ＰＨＰＧ）を環境に対して生成する工程であって、環境が少なくとも０．０１百万分率の最終濃度でＰＨＰＧを蓄積する工程と、被験者をＰＨＰＧ含有環境に１つの期間にわたって曝す工程と、を含む被験者の肺に影響を及ぼす症状を管理する方法を提供し、かつ、含む。
【００３２】
一態様において、本開示は、少なくとも０．０１百万分率の最終濃度で、実質的に水和とオゾンを含まない精製過酸化水素ガス（ＰＨＰＧ）を含む環境を設ける工程と、１つまたは複数の期間にわたって被験者を環境に曝す工程と、を含み、呼吸器感染症の重篤度を低減する、被験者の呼吸器感染症の重篤度を低減する方法を提供し、かつ、含む。
【００３３】
一態様において、本開示は、少なくとも０．０１百万分率の最終濃度で、実質的に水和とオゾンを含まない精製過酸化水素ガス（ＰＨＰＧ）を含む環境を設ける工程と、被験者を環境に１つまたは複数の期間にわたって曝す工程と、を含む被験者の肺の中のラクトペルオキシダーゼ（ＬＰＯ）が触媒となったハイポチオシアン酸イオンの産生の速度を高める方法を提供し、かつ、含む。
【００３４】
一態様において、本開示は、少なくとも０．０１百万分率の最終濃度で、実質的に水和とオゾンを含まない精製過酸化水素ガス（ＰＨＰＧ）を含む環境を設ける工程と、１つまたは複数の期間にわたって被験者を環境に曝す工程と、を含む被験者の肺機能を改善する方法を提供し、かつ、含む。
【００３５】
一態様において、本開示は、実質的に水和とオゾンを含まない精製過酸化水素ガス（ＰＨＰＧ）を生成する工程と、環境に過酸化水素ガスを供給する工程であって、環境が少なくとも０．０１百万分率の最終濃度でＰＨＰＧを蓄積する工程と、を含む被験者の呼吸器疾患の防止、治療、または、管理に適した環境の作成のためのＰＨＰＧの使用を提供し、かつ、含む。
【００３６】
一態様において、本開示は、精製過酸化水素ガス（ＰＨＰＧ）を製造するための装置を設ける工程を含み、ＰＨＰＧが実質的に水和とオゾンを含まないものであり、環境の感染性因子、アレルギー誘発物質、または、これらの組み合わせのレベルが低減した、被験者の占有に適した環境を作成するための方法を提供し、かつ、含む。
【図面の簡単な説明】
【００３７】
【図１Ａ】本開示による、実質的に水和とオゾンを含まないＰＨＰＧを環境に供給するための例示的な自立型装置の図である。
【図１Ｂ】本開示による、実質的に水和とオゾンを含まないＰＨＰＧを環境に供給するための例示的な自立型装置の図である。
【図１Ｃ】本開示による、実質的に水和とオゾンを含まないＰＨＰＧを環境に供給するための例示的な自立型装置の図である。
【図１Ｄ】本開示による、実質的に水和とオゾンを含まないＰＨＰＧを環境に供給するための例示的な自立型装置の図である。
【００３８】
【図２Ａ】本開示による、実質的に水和とオゾンを含まないＰＨＰＧを環境に供給するための暖房、換気、および、空調（ＨＶＡＣ）システム内に設置するための例示的な装置の図である。
【図２Ｂ】本開示による、実質的に水和とオゾンを含まないＰＨＰＧを環境に供給するための暖房、換気、および、空調（ＨＶＡＣ）システム内に設置するための例示的な装置の図である。
【図２Ｃ】本開示による、実質的に水和とオゾンを含まないＰＨＰＧを環境に供給するための暖房、換気、および、空調（ＨＶＡＣ）システム内に設置するための例示的な装置の図である。
【図２Ｄ】本開示による、実質的に水和とオゾンを含まないＰＨＰＧを環境に供給するための暖房、換気、および、空調（ＨＶＡＣ）システム内に設置するための例示的な装置の図である。
【図２Ｅ】本開示による、実質的に水和とオゾンを含まないＰＨＰＧを環境に供給するための暖房、換気、および、空調（ＨＶＡＣ）システム内に設置するための例示的な装置の図である。
【発明を実施するための形態】
【００３９】
本明細書で使用するように、過酸化水素は精製過酸化水素ガス（ＰＨＰＧ）として供給し、本開示では、代案として、ほぼ理想的な気相過酸化水素または非水和過酸化水素ガスとして説明する。精製過酸化水素ガスは、（溶液中のＨ２Ｏ２の形態で）少なくとも水和が実質的になく、実質的にオゾンを含まない気体の過酸化水素（Ｈ２Ｏ２）である。本明細書で使用するように、精製過酸化水素ガス（ＰＨＰＧ）は濃縮されていず、または、液滴としても存在しない。精製過酸化水素ガス（ＰＨＰＧ）は、水和、または、共有結合、ファン・デル・ワールス力、もしくは、ロンドン力で結合した水分子を含まない気相として製造し、実質的にオゾンが含まれない。本開示による使用のためのＰＨＰＧの製造に適した装置は、非水和性でオゾンを含まないＰＨＰＧを生成する。この形態で、過酸化水素（例えば、ＰＨＰＧ）は、全ての点で、ほぼ理想的な気体としてふるまい、かつ、水和していないか、または、製造の際に水とも結合していない。本開示で使用するように、ＰＨＰＧは、エアロゾル化した水溶過酸化水素と区別可能である。なぜなら、ＰＨＰＧは水和していず、毒性がなく、Ｈ２Ｏ２分子が大幅に低い濃度で存在しているからである。対照的に、一般に気化過酸化水素（ＶＨＰ）と呼ばれるエアロゾル化した水溶過酸化水素は微小液滴を含む。エアロゾル化または気化した過酸化水素はＥＰＡ登録殺虫剤である（ＥＰＡ  ＰＣコード＃０００５９５）。
【００４０】
ＰＨＰＧを生成するために、内容が参照によって本明細書に組み込まれている国際公開第２００９／０２１１０８号パンフレットまたは、国際公開第２０１０／０９３７９６号パンフレットにあるものなどの適した拡散装置を使用してよい。拡散器の設計は、プラズマ反応器内での停留時間を最小化するように設計した容積最適化構造に透気性光触媒ＰＨＰＧ反応器を詰め込むことによってよりも、むしろ、気流に垂直な大面積にわたって（例えば、特定の態様において、帆のような領域にわたって）透気性光触媒ＰＨＰＧ反応器の表面を薄く広げることによって、ＰＨＰＧ生産量を最適化可能である。
【００４１】
本開示によれば、表現「実質的にオゾンが不在の」、「実質的にオゾンを含まない」などは、約０．０１５ｐｐｍ未満、すなわち、オゾンに対するＬＯＤ（検出レベル）未満のレベルのオゾンの量を一般に意味する。本明細書で使用するように、「オゾンを含まない」とは、過酸化物ガスを生産した際に検出可能レベルのオゾンが含まれないことを意味する。このようなレベルは人間の健康に対して一般に許容可能な限界値を下回っている。この点で、米国食品医薬品局（ＦＤＡ）は、屋内用医療装置のオゾン排出量が０．０５ｐｐｍのオゾンを超えないことを要件としている。米国労働安全衛生局（ＯＳＨＡ）は、労働者を０．１０ｐｐｍを超える平均濃度のオゾンに８時間にわたって曝さないことを要件としている。米国立労働安全衛生研究所（ＮＩＯＳＨ）は、いかなる場合も超えてはならない０．１０ｐｐｍのオゾンの上限値を推奨している。オゾンに対するＥＰＡの米国環境大気品位国家規格は、最大で８時間平均０．０８ｐｐｍの屋外濃度となっている。本開示の方法のためのＰＨＰＧの調製に適した拡散装置は、これらがドレーガー・チューブを手段として検出可能なレベルのオゾンを製造しないことを一貫して実証している。
【００４２】
ＰＨＰＧは、空気より感知可能には重くも軽くもなく、モル当たり３４．０１４８ｇのモル質量を有する。この形態で、気相過酸化水素は、空気がそれ自身で到達可能ないずれの空間にも浸透可能である。この空間には、材料間の裂け目、透気性クッションの内部、および、透気性寝具類の内部など全ての領域が含まれる。気相過酸化水素は、いずれの他の気体もそうであるように、空気を介して拡散し、「気体の」としばしば呼ばれる水相蒸気の形態の過酸化水素（例えば、ＶＨＰ）を含む微小液滴の挙動において見られるように、水の表面張力によっては妨げられずに、透気性材料を通過する。いずれにせよ、過酸化水素の微小液滴またはＶＨＰは気体の性質は持たず、気体としての挙動は示さない。過酸化水素のエアロゾル化した微小液滴は毒性を持ち、本開示の方法および居住可能な密閉空間には適さない。
【００４３】
例えば、２０１２年５月１日に公告の米国特許第８１６８１２２号および２０１４年４月１日に公告の米国特許第８６８５３２９号が提供するような過酸化水素拡散装置を介して継続的に製造すると、気相過酸化水素の０．０１百万分率を超える平衡濃度が達成可能であり、密閉した空間または環境において継続的に維持可能である。平衡状態では、１気圧で摂氏１９．５１度において、気相過酸化水素は、各０．０４百万分率の濃度に対して、１立方ミクロン当たり１分子の平均量で空気１立方ミクロン当たりに存在する。１百万分率において、１立方ミクロン当たりの過酸化水素分子の平均数は２５個となり、３．２百万分率においては８０個となる。
【００４４】
本明細書で使用するように、ＰＨＰＧは密閉した空間または環境内に均一に分布する。密閉した空間または環境内のＰＨＰＧの均一な分布は、ＰＨＰＧに曝されている肺の表面積を最大化する。対照的に、エアロゾル化した過酸化水素（または、気化過酸化水素（ＶＨＰ））は、微小液滴のそれぞれに存在する高レベルの過酸化水素によって不均一に分布している。
【００４５】
本明細書で使用するように、用語「密閉空間」、「閉鎖空間」、または、「閉鎖環境」とは、外部との空気の交換から実質的に分離されたいずれの空間も意味する。閉鎖空間は外部に対して完全に閉鎖されている必要はないが、むしろ、閉鎖空間内の大気が確実に制御できるように十分に閉鎖されていなければならない。特定の態様において、密閉空間は、例えば隔離室、または、施設内の鳥かご、もしくは、囲いなどのように別の密閉空間の内部に設けてもよい。この用語は、例えば部屋、建物、鳥かご、家畜の檻、または、空気が自由に交換可能ではないいずれの空間も含む。本開示による密閉空間は特定のサイズに限定しない。特定の態様において、密閉空間は、家、アパート、ホテル、モーテル、航空機、宇宙探査機、レストラン、フィットネス・センター、健康バー、または、他の建物などの居住可能な空間である。特定の態様において、密閉空間は、公会堂、博覧会場、および、競技場を含むがこれらに限定しない大きな空間を含む。別の態様において、密閉空間は、睡眠、休息、または、運動のための部屋、例えば、ジムを含む。本明細書で説明するように、「密閉空間」は海上または海中の場所を含んでもよいことを理解されたい。例えば、密閉体は船舶または潜水艦の一部としてよい。一態様において、本明細書で提供する方法は、潜水艦内で空気の質を改善可能であるか、または、疾病の伝染を低減可能である。別の例において、本明細書で提供する方法は、クルーズ船上で呼吸器感染症の伝染を低減可能であるか、または、病原体を防除可能である。さらに別の態様において、密閉体は宇宙船、宇宙探査機、または、宇宙ステーション内にあってもよい。いくつかの態様において、密閉空間は、温度および湿度を含むがこれらに限定しない環境条件の制御を含む。
【００４６】
密閉空間の大気を確実に制御する能力は屋外との空気交換速度に依存し、定常状態レベルのＰＨＰＧガスを決定するうえで重要な因子となっている。空気交換速度は建物の設計、建設、および、運営の各パラメータに影響を受け、究極的には侵入空気（開口部、つなぎ目、ならびに、壁、床、天井、および、窓とドアの周辺のひび割れを介して構造体に流れ込む空気）、自然換気（開放した窓およびドアを介して流れ込む空気）、および、機械的換気（換気扇または空気処理システムなどの換気装置によって屋内へ強制された、または、屋外に排気した空気）の関数となっている。占有者の挙動と組み合わせた屋外の天候および気象状態も、屋内の空気の質、および、密閉空間内の環境を制御する能力に影響を及ぼし得る。
【００４７】
全体を通じて使用するように、「被験者」とは個々の脊椎動物を意味する。したがって、「被験者」は、哺乳類、鳥類、爬虫類、および、両生類を含むことが可能だがこれらに限定しない。「被験者」は、人間、ならびに、他の霊長類、飼育動物（例えば、ネコ、イヌなど）、家畜（例えば、ウシ、ウマ、家禽、ブタ、ヒツジ、ヤギなど）、動物園の動物、および、実験動物（例えば、ハツカネズミ、ウサギ、ラット、モルモット、サルなど）を含む。特定の態様において、被験者は人間である。本明細書で使用するように、被験者は、無脊椎動物および単細胞生物ではない。
【００４８】
文脈で明らかに他の場合を述べていない限り、本明細書で使用するように、単数形「ａ」、「ａｎ」、および、「ｔｈｅ」は複数の参照対象を含む。例えば、用語「ａ被験者」または「少なくともｏｎｅ被験者」は、複数の被験者との混合を含めて、複数の被験者を含んでよい。同様に、本明細書で使用するように、「ａ被験者」は、被験者の集団を含み、かつ、提供する。本明細書で使用するように、「被験者の集団」は、例えば、動物の混合集団（例えば、動物園または動物施設）を含めた被験者の混合集団をさらに含めてよい。
【００４９】
本開示による各態様において、呼吸器の疾病、感染、または、症状を管理、治療、または、緩和するための方法は、ＰＨＰＧに曝した被験者の集団をＰＨＰＧに曝していない被験者の比較集団と比較することによって測定可能である。集団間の比較は、呼吸器の疾病、感染、または、症状の数または程度の変化を識別および定量化するための当技術分野で知られている方法を使用した統計的解析を可能にする。１つの態様において、集団は、人間、実験動物、家庭用ペット、または、家畜動物からなる群から選択可能である。例えば、厳選した集団は健康な個人からなるものでよい。本明細書で使用するように、「健康な」とは、肺の疾患、感染症、または、症状の存在についての示唆または兆候のない個人を意味する。１つの態様において、集団は、ＰＨＰＧに曝していない家族と比較したＰＨＰＧを含む環境を有する家に住む同様の家族であってよい。別の態様において、集団は、病院、動物病院、検疫領域、家、アパート、ホテル、航空機、宇宙探査機、フィットネス・センター、レストラン、健康バーなどに曝された治療済みまたは未治療の被験者を含んでよい。特定の態様において、ＰＨＰＧで治療した個人の集団は、選択が可能であり、同様の職業、居住条件、民族性、および、経済的背景、または、これらの組み合わせを有する個人の集団と比較可能である。一態様において、被験者集団は医師および獣医師であってよい。疫学的研究のために集団を選択するための方法は、当技術分野では知られている。
【００５０】
本開示による態様において、集団は、ＰＨＰＧ環境への被曝の前後の比較可能な期間内での呼吸器疾病の数および程度を決定することで比較してよい。１つの態様において、ＰＨＰＧへの被曝の効果は１年ごとに比較する。別の態様において、集団におけるＰＨＰＧ治療の効果は、複数年にわたる解析から決定可能である。
【００５１】
本開示による一態様において、ＰＨＰＧ治療の恩恵は、例えば実験動物の集団を含めて、動物の集団において決定可能である。治療済みおよび未治療の集団で獣医学的治療介入を必要とする割合を比較することで、ＰＨＰＧ治療の恩恵を実証可能であり、定量化可能である。一態様において、ＰＨＰＧを使用した治療は未治療の対照集団に対して少なくとも１０％は獣医学的治療介入を低減する。別の態様において、ＰＨＰＧは未治療の対照集団に対して少なくとも２０％は獣医学的医療介入を低減する。さらに別の態様において、ＰＨＰＧは未治療の対照集団に対して少なくとも３０％または４０％は獣医学的医療介入を低減する。いくつかの態様において、実験用集団は１か月の期間にわたって比較する。別の態様において、実験用集団は２か月の期間にわたって比較する。さらなる態様において、実験用集団は、６カ月、７カ月、８カ月、９カ月、１０カ月、１１カ月、または、１年の期間にわたって比較する。
【００５２】
１つの態様において、ＰＨＰＧを有する環境への曝露の恩恵は、医学的治療介入を必要とする治療済みおよび未治療の集団の人々の割合を比較することによって決定可能である。いくつかの態様において、医学的治療介入は、医師を訪れること、処方薬の入手および使用、または、非処方薬での自己投薬治療を含んでよい。１つの態様において、ＰＨＰＧでの治療は、医学的治療介入を少なくとも１０％は低減可能である。別の態様において、医学的治療介入を必要とする人々の割合は少なくとも１５％は低減されている。別の態様において、医学的治療介入を必要とする人々の割合は少なくとも２０％または２５％は低減されている。さらに別の態様において、医学的治療介入を必要とする人々の割合は少なくとも３０％、３５％、４０％、もしくは、５０％、または、これらを超えて低減されている。
【００５３】
本開示による態様において、ＰＨＰＧでの集団の治療は、請求による病欠日の数の減少をもたらした。特定の態様において、病欠日の数は１０％以上減少している。別の態様において、人々の集団が取った病欠日の数は２０％以上減少している。さらなる態様において、病気により無駄になった日は３０％以上減少可能である。別の態様において、治療された集団内の個人は、一年当たりの請求による病欠日の数を平均で少なくとも１日減少可能である。別の態様において、治療された集団内の個人は、本開示の治療方法を使用して１年当たりの病欠日を２または３日少なく取ることが可能となる。さらなる態様において、病欠日の数は１年当たり５日以上減少可能である。
【００５４】
いくつかの態様において、ＰＨＰＧを有する環境への曝露の恩恵は、ＰＨＧＰに曝した人々が取った病欠日の数をＰＨＰＧに曝していない人々が取った病欠日の数と、１つの期間にわたって比較することによって決定可能である。いくつかの態様において、この期間は１カ月である。別の態様において、この期間は６カ月、７カ月、８カ月、９カ月、１０カ月、１１カ月、または、１年である。１つの態様において、本明細書に説明するように、ＰＨＰＧに曝した人々の集団での病欠日の数は、ＰＨＰＧに曝していない人々の集団で取った病欠日の数に比較して、少なくとも１０％減少している。さらに別の態様において、病欠日の数は、ＰＨＰＧに曝していない人々の集団で取った病欠日の数に比較して、少なくとも１５％、２０％、２５％、３０％、３５％、４０％、または、５０％減少している。
【００５５】
本開示による態様において、ＰＨＰＧ環境への被験者の曝露の有益な効果は、継続的な曝露を必要としない。重要なこととして、継続的な曝露は被験者への悪影響を有さない。驚くことに、たとえ被験者を１日中または１日の大部分さえも継続的に曝露しなくても、ＰＨＰＧ含有環境への曝露の有益な効果は被験者において持続する。理論によって制限されないために、ＰＨＰＧがイソチオシアネートの産生を介して様々な病原体に対する肉体の先天的防御を増加または強化することを考える。加えて、ＰＨＧＰは前臨床疾病潜伏期中に恩恵をもたらし、これによって、症候性感染を回避可能である。したがって、被験者は、ＰＨＰＧ含有環境における病原体の減少（ＰＨＰＧは直接的な殺菌性、殺ウイルス性、かつ、殺真菌性の薬剤として作用する）から恩恵を受けるだけでなく、被験者がＰＨＰＧ環境から離れている時にも恩恵を受ける。
【００５６】
本明細書で使用するように、「重篤度の低減」または「重篤度を低減すること」とは、症状が明らかである期間の長さにおいて、その症状の重篤度の低減を意味する。いくつかの態様において、重篤度の低減は、うっ血除去薬および抗ヒスタミン剤などの緩和医薬品の必要性の低減を含む。呼吸器感染症の重篤度の低減は、鼻詰まり、鼻水（鼻漏）、鼻汁、鼻呼吸、くしゃみ、咽頭炎、もしくは、いがらっぽさ、飲み込み痛（嚥下痛）、咳、不快感、または、熱（子供において、より一般的）の低減を伴う。低減は、疾病の期間の長さの短縮または症状の数または質の低下が示してもよい。重篤度の低減は、欠勤または学校の欠席の減少、および、通常の活動へのより速い復帰によっても、明らかであるとしてよい。呼吸器感染症は、代表的に３から１４日間続き、重篤度の低減は、期間の長さの１日未満、２日未満、または、３日未満への短縮を含んでもよい。
【００５７】
本明細書で使用するように、呼吸器感染症の「伝染の低減」または「伝染の防止」とは、感染性の呼吸器疾患に曝された被験者の感染性疾患の発生率の低下を意味する。伝染の低減は、ＰＨＰＧで治療した被験者と治療していない被験者を比較する集団調査で測定可能である。伝染の減少も、１年間にわたるか、または、「インフルエンザ」の季節にわたる被験者の呼吸器感染症の数または程度の低減によって識別可能である。
【００５８】
本明細書で使用するように、「肺機能の改善」とは、被験者についての静的肺容量の改善または増加、全肺気量の増加、動脈血液ガスの酸素の分圧の上昇、残気量の減少、または、これらの組み合わせを意味する。肺機能の改善はＰＨＰＧ含有環境への曝露を延長した後に測定してもよい。
【００５９】
本明細書で使用するように、「予防」とは、ＰＨＰＧ含有環境への曝露が、一般に感染性因子への曝露の前に、または、その曝露を見込んで、呼吸器疾患に抵抗する被験者の能力を改善または高めることを意味する。特定の態様において、ＰＨＰＧ含有環境への曝露は、知られている病原体への将来の何らかの曝露を見込んで開始する。本明細書で使用するように、予防による被験者の健康の改善は、呼吸器感染症に対する被験者の宿主防御の強化、呼吸器感染症に対する被験者の防御への刺激、呼吸器系のハイポチオシアン酸イオンの濃度の増加、ラクトペルオキシダーゼ（ＬＰＯ）の触媒によるハイポチオシアン酸イオン産生の速度の上昇、呼吸器感染症の防止、呼吸器感染症の伝染の低減、呼吸器疾病の防止、占有に適した環境の設置、および、これらの組み合わせを含む。
【００６０】
理論によって制限されないために、気相過酸化水素は、哺乳類、鳥類、爬虫類、および、両生類を含む肺を有する動物を含めた被験者が「吸入し」、または、処理する。本明細書で使用するように、適した被験者は、飼育動物（例えば、ネコ、イヌなど）、家畜（例えば、ウシ、ウマ、家禽、ブタ、ヒツジ、ヤギなど）、動物園の動物、および、実験動物（例えば、ハツカネズミ、ウサギ、ラット、モルモットなど）を含む。１つの態様において、被験者は、霊長類または人間などの哺乳類である。
【００６１】
人間および他の脊椎動物などの非節足動物は、平衡濃度の気相過酸化水素からそれらを保護する呼吸器機構を有する。人間の肺は大きな速度で過酸化水素を産生し、１立方ミクロンの人間の肺の分泌物は、過酸化水素を消費してその濃度を調節している酵素とともに、６００分子と６０，０００分子との間の平衡濃度の水相の過酸化水素を含有している。この機能を果たすラクトペルオキシダーゼおよびカタラーゼなどの酵素は、毎秒何千もの分子反応の酵素速度を有する。
【００６２】
本開示の方法が提供するように、予防は、インフルエンザの季節の間のインフルエンザウイルスへの考えられる曝露、または、例えば、インフルエンザウイルス、重症急性呼吸器症候群（ＳＡＲＳ）、中東呼吸器症候群（ＭＥＲＳ）、エボラ出血熱、豚繁殖・呼吸障害症候群ウイルス（ＰＲＲＳＶ）感染症、および、呼吸器合胞体ウイルス（ＲＳＶ）を含むがこれらに限定しない他のウイルス性疾患の発生の間の考えられる曝露を見込んで示されている。他の態様において、ＰＨＰＧ含有環境への曝露による予防は、Aspergillus spp.、Candida albicans、Sclerotinia、または、Pneumocystis spp.を限定せずに含む真菌およびカビの病原体への曝露を見込んだ被験者の前治療を含む。特定の態様において、予防は、Mycoplasma pneumoniaを含むMycoplasma sp.，Mycobacterium tuberculosis、Acinetobacter sp.、Chlamydophila sp.、Streptococcus sp.、Haemophilus sp.、または、Staphylococcus spp.を限定せずに含む細菌による感染症を防止するためのＰＨＰＧ含有環境での被験者の治療を含む。特定の態様において、予防は、既存の呼吸器疾病のＰＨＰＧを使用した並行治療を含む。特定の別の態様において、ＰＨＰＧガスへの被験者の曝露を含む予防の方法は、感染症の治療のためにさらに使用可能である。
【００６３】
０．０１ｐｐｍほどに低いＰＨＰＧのレベルは、毎日少なくとも４時間にわたって曝した被験者に本開示による予防効果をもたらすために十分である。別の態様において、少なくとも４時間にわたる少なくとも０．０５ｐｐｍのＰＨＰＧレベルは予防をもたらす。さらに別の態様において、少なくとも４時間にわたる０．１ｐｐｍのＰＨＰＧレベルは予防をもたらす。さらに別の態様において、少なくとも０．２または０．３ｐｐｍのＰＨＰＧレベルは予防をもたらす。特定の態様において、少なくとも４時間にわたる０．０１と１ｐｐｍとの間での被験者の曝露は予防をもたらす。別の態様において、予防のためのＰＨＰＧの適した範囲は、１日当たり少なくとも４時間にわたる０．１と７ｐｐｍとの間であってよい。一態様において、被験者は、１日当たり４時間にわたって０．２と２ｐｐｍとの間で曝してよい。
【００６４】
本明細書で使用するように、緩和による被験者の健康の改善は、呼吸器感染症に対する宿主防御の強化、呼吸器感染症に対する宿主防御への刺激、呼吸器系のハイポチオシアン酸イオンの濃度の上昇、ラクトペルオキシダーゼ（ＬＰＯ）の触媒によるハイポチオシアン酸イオン産生の速度の上昇、呼吸器感染症の重篤度の低減、呼吸器系の病原体の管理、肺に影響を及ぼす症状の管理、呼吸器感染症の期間の長さの短縮、肺機能の改善、呼吸器疾病の防止、治療、管理、呼吸器感染症の伝染の低減、呼吸器疾病の防止、占有に適した環境の作成を含む。
【００６５】
０．０１ｐｐｍほどに低いＰＨＰＧのレベルは、毎日少なくとも４時間にわたって曝した被験者の本開示による緩和効果をもたらすために十分である。別の態様において、少なくとも４時間にわたる少なくとも０．０５ｐｐｍのＰＨＰＧレベルは緩和をもたらす。さらに別の態様において、少なくとも４時間にわたる０．１ｐｐｍのＰＨＰＧレベルは緩和をもたらす。さらに別の態様において、少なくとも４時間にわたる少なくとも０．２または０．３ｐｐｍのＰＨＰＧレベルは緩和をもたらす。特定の態様において、少なくとも４時間にわたる０．０１と１ｐｐｍとの間での被験者の曝露は緩和をもたらす。他の態様において、緩和のための適したＰＨＰＧの範囲は、１日当たり少なくとも４時間にわたる０．１と７ｐｐｍとの間であってよい。一態様において、被験者は１日当たり４時間にわたって０．２と２ｐｐｍとの間で曝してよい。
【００６６】
本明細書で使用するように、病状の治療は、呼吸器感染症に対する宿主防御の強化、呼吸器感染症に対する宿主防御への刺激、呼吸器系のハイポチオシアン酸イオンの濃度の上昇、ラクトペルオキシダーゼ（ＬＰＯ）の触媒によるハイポチオシアン酸イオン産生の速度の上昇、呼吸器感染症の重篤度の低減、呼吸器系の病原体の防除、肺に影響を及ぼす症状の管理、呼吸器感染症の重篤度の低減、肺機能の改善、呼吸器疾病の防止、治療、または、管理を含む。
【００６７】
本開示は、少なくとも０．０１百万分率の定常状態濃度で精製過酸化水素ガス（ＰＨＰＧ）を含む人間または動物への使用のための密閉空間であって、前記ＰＨＰＧが水和とオゾンを含まない密閉空間を提供し、かつ、含む。別の態様において、人間または動物への使用のための密閉空間は、少なくとも０．０５百万分率の定常状態濃度で精製過酸化水素ガス（ＰＨＰＧ）を含み、ＰＨＰＧは水和およびオゾンが含まれない。本明細書で提供するように、ＰＨＰＧを有する密閉空間への被験者の曝露は、呼吸器系の機能および健康の改善をもたらす。
【００６８】
本開示は、少なくとも０．０１百万分率の定常状態濃度で精製過酸化水素ガス（ＰＨＰＧ）を含む住居である密閉空間であって、ＰＨＰＧが水和とオゾンを含まない密閉空間をさらに提供し、かつ、含む。別の態様において、住居は、少なくとも０．０５百万分率の定常状態濃度で精製過酸化水素ガス（ＰＨＰＧ）を含み、ＰＨＰＧは水和およびオゾンが含まれない。本明細書で使用するように、「住居」は、被験者の居住のために、または、被験者による使用と占有を意図して使用および占有される建物、建物の一部、大型トレーラー、ハウスボート、移動住居、プレハブ住宅を含む宿泊施設の自給自足の単位である。一態様において、住居を使用および占有する被験者は人間である。別の態様において、住居を使用および占有する被験者は動物である。特定の態様において、住居である密閉空間は、病院、動物病院、検疫領域、家、アパート、航空機、宇宙探査機、ホテル、および、モーテルを含む。本明細書で使用するように、住居は継続的に占有される必要はなく、一時的な使用のためであってもよい。一時的な使用のための住居の例は、テント、および、例えば、非常時の間、被験者を収容するために準備した別の構造物を含む。
【００６９】
所望のレベルのＰＨＰＧ濃度を維持する能力は、ＰＨＰＧの産生速度および空間の容量、ならびに、喪失の速度を制御する能力に依存する。喪失の速度は、代わって、過酸化物の自然崩壊、病原体および化合物との反応、ならびに、外部の空気との交換を介した過酸化物の喪失によって決定されている。したがって、ＰＨＰＧの定常状態のレベルは、産生速度の上昇および密閉空間の空気の外部の空気との交換をさらに分離することによって増加が可能である。
【００７０】
本開示による一態様において、人間または動物の使用のための密閉体の定常状態でのレベルは、少なくとも０．０５百万分率の定常状態濃度の精製過酸化水素ガス（ＰＨＰＧ）を含む。本開示による一態様において、人間または動物のための密閉体の定常状態でのレベルは、少なくとも０．０１百万分率の定常状態濃度の精製過酸化水素ガス（ＰＨＰＧ）を含む。別の態様において、精製過酸化水素ガスの定常状態での量は、環境内で約０．００５ｐｐｍから約０．１０ｐｐｍ、より詳細には、約０．０２ｐｐｍから約０．０５ｐｐｍまで変化してよい。特定の態様において、精製過酸化水素ガス（ＰＨＰＧ）の定常状態での量は約０．００５ｐｐｍから約０．４０ｐｐｍまで変化してよい。より詳細には、約０．０２ｐｐｍから約７ｐｐｍまでの定常状態での精製過酸化水素ガス（ＰＨＰＧ）のレベルを処理すべき環境において産生可能である。
【００７１】
本開示は、哺乳動物の肺の中のハイポチオシアン酸イオンの増加のための方法、および、これに関連した装置をさらに提供し、かつ、これらに全般的に関する。特定の態様において、本明細書で説明する方法および装置での使用のための気相過酸化水素を形成するために、電気触媒処理を利用可能である。
【００７２】
気相過酸化水素は、本開示の方法によって作成した居住可能な密閉空間または環境において被験者が吸入するか、または、装置によって直接肺に供給可能である。上述のように、人間および他の脊椎動物は、平衡濃度の過酸化水素を消費および使用する呼吸器機構を有する。例えば、人間の肺は高い速度で過酸化水素を産生し、１立方ミクロンの人間の肺分泌物は、過酸化水素を消費してその濃度を調節している酵素とともに、６００と６０，０００分子との間の平衡濃度の水相の過酸化水素を含んでいる。この機能を果たすラクトペルオキシダーゼおよびカタラーゼなどの酵素は、毎秒何千もの分子反応という酵素速度を有すると知られている。
【００７３】
理論によって制限されないために、一旦吸入すると、過酸化水素ガスは呼吸器系の水相分泌物が吸収し、以下の反応を手段として哺乳類の肺の中のチオシアン酸イオンからハイポチオシアン酸イオンを産生するためにラクトペルオキシダーゼ、カタラーゼ、および、他の酵素が使用する。
【化３】
2020151500.tif 000004
【００７４】
本開示の１つの態様において、人間の肺のハイポチオシアン酸イオンの産生を増加させる方法を開示する。この方法は、一般に、（ａ）実質的に、例えば、水和（すなわち、溶液中の水、または、共有結合、ファン・デル・ワールス力、あるいは、ロンドン力で結合した水分子の形態の非水和物）、オゾン、プラズマ種、および／もしくは、有機種を含まない過酸化水素ガスを含むガスを生成する工程と、（ｂ）肺の中のハイポチオシアン酸イオンの濃度を高めるために、肺の中で過酸化水素が酵素と相互作用するように、過酸化水素を吸入可能である、環境または直接的に肺に、過酸化水素を含むガスを差し向ける工程と、含む。
【００７５】
他の態様において、人間以外の肺でのハイポチオシアン酸イオンの産生を増加させる方法を開示する。この方法は、一般に、（ａ）実質的に、例えば、水和（すなわち、溶液中の水、または、共有結合、ファン・デル・ワールス力、あるいは、ロンドン力で結合した水分子の形態の非水和物）、オゾン、プラズマ種、および／もしくは、有機種を含まない過酸化水素ガスを含むガスを生成する工程と、（ｂ）肺の中のハイポチオシアン酸イオンの濃度を高めるために、肺の中で過酸化水素が酵素と相互作用するように、過酸化水素を吸入可能である、環境または直接的に肺に、過酸化水素を含むガスを差し向ける工程と、含む。
【００７６】
多くの態様において、人間の肺のハイポチオシアン酸イオンの産生を増加させる方法は、少なくとも０．０１ｐｐｍの最終濃度でＰＨＰＧを有する環境に人間を曝す工程を含む。一態様において、ＰＨＰＧの濃度は少なくとも０．０５ｐｐｍであってよい。一態様において、ＰＨＧＰの濃度は少なくとも０．１ｐｐｍであってよい。別の態様において、ＰＨＰＧの濃度は０．２ｐｐｍであってよい。さらに別の態様において、ＰＨＰＧ濃度は０．２５ｐｐｍであってよい。一態様において、ＰＨＰＧの濃度は少なくとも０．４ｐｐｍまたは０．５ｐｐｍであってよい。一態様において、ＰＨＰＧの濃度は少なくとも０．６または０．７ｐｐｍであってよい。別の態様において、ＰＨＰＧ濃度は最大１．０ｐｐｍであってよい。さらに別の態様において、ＰＨＰＧ濃度は０．１と７．０ｐｐｍとの間であってよい。
【００７７】
多くの態様において、ハイポチオシアン酸イオンの産生は、動物または人間などの被験者を０．０１と７．０ｐｐｍとの間の範囲のレベルのＰＨＰＧに施設において継続的に曝すことで増加が可能である。特定の態様において、被験者は、丸１日未満にわたって０．０１から５．０ｐｐｍの範囲のＰＨＰＧに曝してよい。一態様において、被験者は、１日当たり少なくとも１、２、３、４、５、６、７、または、少なくとも８時間にわたってこれらのＰＨＰＧ濃度に曝してよい。別の態様において、被験者は、少なくとも４時間にわたって少なくとも０．５ｐｐｍのＰＨＰＧを含む環境に曝してよい。一態様において、被験者は、７日間で２、３、４、５、６、または、７回以上、少なくとも０．５ｐｐｍのＰＨＰＧを含む環境に曝してよい。別の態様において、被験者のＰＨＰＧへの曝露は、予防策として定期的に反復してよい。
【００７８】
特定の態様において、方法は、精製過酸化水素ガス（ＰＨＰＧ）を製造する工程と、過酸化水素ガスを呼吸することが可能であり、肺の中のハイポチオシアン酸イオンの濃度を上昇可能となるように、過酸化水素ガスを環境内に、または、直接肺に差し向ける工程と、を含む。
【００７９】
本開示は、少なくとも０．０１百万分率（ｐｐｍ）の濃度のＰＨＰＧを有する環境を有する密閉空間への被験者の曝露による病状の予防、緩和、または、治療を含む被験者の健康を改善するための方法を提供し、かつ、含む。特定の態様において、被験者の健康を改善するための方法は、少なくとも０．０５ｐｐｍのＰＨＰＧレベルに被験者を曝す工程を含む病状の予防、緩和、または、治療を含む。さらに他の態様において、ＰＨＰＧレベルは、例えば感染性疾患の集団発生および流行を含めた緊急事態の間に、最大７ｐｐｍにまで大幅に上昇させてよい。
【００８０】
本開示は、少なくとも０．０１百万分率の濃度の精製過酸化水素ガス（ＰＨＰＧ）を導入する工程であって、ＰＨＰＧが水和とオゾンが含まれない工程を含む密閉空間内の空気の質を改善するための方法であって、気流が屋内再循環気流から導入されている方法を提供し、かつ、含む。別の態様において、ＰＨＰＧ濃度は少なくとも０．０５ｐｐｍである。他の態様において、ＰＨＰＧは自立型ＰＨＰＧ製造装置を使用して密閉空間に導入する。
【００８１】
多くの態様において、空気の質は、密閉空間へのＰＨＰＧの導入、および、０．０１と７．０ｐｐｍとの間の範囲のＰＨＰＧの濃度の維持によって改善可能である。特定の態様において、ＰＨＰＧは０．２ｐｐｍを超える濃度に維持してよい。さらに別の態様において、ＰＨＰＧは０．２５ｐｐｍを超える濃度に維持してよい。一態様において、ＰＨＰＧの濃度は少なくとも０．４ｐｐｍまたは０．５ｐｐｍであってよい。一態様において、ＰＨＰＧの濃度は少なくとも０．６または０．７ｐｐｍであってよい。別の態様において、ＰＨＰＧ濃度は最大１．０ｐｐｍであってよい。さらに別の態様において、ＰＨＰＧ濃度は、０．１と７．０ｐｐｍとの間であってよい。特定の態様において、空気の質は１日当たり少なくとも１時間にわたる密閉空間内でのＰＨＧＰの維持によって改善する。別の態様において、空気の質は１日当たり少なくとも４時間にわたる密閉空間内でのＰＨＧＰの維持によって改善する。
【００８２】
本開示による態様において、ＰＨＰＧは少なくとも０．１ｐｐｍの最終濃度で密閉空間に供給する。別の態様において、ＰＨＰＧ濃度は少なくとも０．２ｐｐｍの濃度で供給および維持する。さらなる態様において、ＰＨＰＧ濃度は少なくとも０．３ｐｐｍの濃度で供給および維持する。さらなる態様において、ＰＨＰＧ濃度は少なくとも０．４ｐｐｍの濃度で供給および維持する。さらなる態様において、ＰＨＰＧ濃度は少なくとも０．５ｐｐｍ、少なくとも０．６ｐｐｍ、少なくとも０．７ｐｐｍ、少なくとも０．８ｐｐｍ、または、少なくとも０．９ｐｐｍの濃度で供給および維持する。１つの態様において、ＰＨＰＧ濃度は１．０ｐｐｍ未満で供給および維持する。１つの態様において、ＰＨＰＧ濃度は０．１と０．６ｐｐｍとの間で供給および維持する。別の態様において、ＰＨＰＧ濃度は０．４と１．０ｐｐｍとの間で供給および維持する。
【００８３】
本開示は、水和とオゾンを含まない精製過酸化水素ガス（ＰＨＰＧ）を生成する工程と、少なくとも０．０１百万分率（ｐｐｍ）の最終濃度を達成するまで前記ＰＨＰＧを蓄積する工程と、を含むＰＨＰＧ含有環境を作成するための方法を提供し、かつ、含む。別の態様において、ＰＨＰＧの最終濃度は少なくとも０．０５ｐｐｍである。
【００８４】
本開示は、少なくとも０．０１百万分率（ｐｐｍ）の最終濃度で、水和とオゾンを含まない精製過酸化水素ガス（ＰＨＰＧ）を維持するために十分な速度で環境に、ＰＨＰＧを供給する工程を含むＰＨＰＧを含む密閉空間を設けるための方法を提供し、かつ、含む。別の態様において、密閉空間は少なくとも０．０５ｐｐｍのＰＨＰＧ濃度を達成する。
【００８５】
本開示は、居住に適した密閉空間を含む治療環境を設ける工程であって、前記治療環境が少なくとも０．０１百万分率の精製過酸化水素ガス（ＰＨＰＧ）濃度を含み、ＰＨＰＧが水和とオゾンを含まない工程と、治療を必要とする被験者を治療期間にわたって治療環境に曝す工程と、を含む治療の方法を提供し、かつ、含む。別の態様において、治療の方法は、居住に適した密閉空間を含む治療環境を設ける工程であって、治療環境が少なくとも０．０５百万分率の精製過酸化水素ガス（ＰＨＰＧ）濃度を含み、ＰＨＰＧが水和とオゾンを含まない工程と、治療を必要とする被験者を治療期間にわたって治療環境に曝す工程と、を含む。
【００８６】
本開示は、少なくとも０．０１百万分率の最終濃度で、水和とオゾンを含まない精製過酸化水素ガス（ＰＨＰＧ）を含む環境を設ける工程と、被験者を１つまたは複数の期間にわたって環境に曝し、それによって、被験者の肺の中のハイポチオシアン酸イオンのレベルを高める工程と、を含む被験者の呼吸器感染症に対する宿主防御を増加または改善するための方法を提供し、かつ、含む。他の態様において、最終的な定常状態濃度は少なくとも０．０５ｐｐｍＰＨＰＧである。
【００８７】
本開示は、少なくとも０．０１百万分率（ｐｐｍ）の最終濃度で、水和とオゾンを含まない精製過酸化水素ガス（ＰＨＰＧ）を含む環境を設ける工程と、被験者を少なくとも１つの期間にわたって環境に曝す工程とを含み、治療が、呼吸器感染症の重篤度の低減、呼吸器感染症の持続期間の短縮、アレルギーの重篤度の低減、呼吸器感染症の伝染の防止、集団内での呼吸器感染症の伝染の低減、肺機能の改善、または、これらのいずれかの組み合わせを含む、被験者の呼吸器疾病を治療するための方法を提供し、かつ、含む。別の態様において、被験者の呼吸器疾病を治療するための方法は、少なくとも０．０５ｐｐｍの最終濃度でＰＨＰＧを供給する工程を含む。
【００８８】
多くの態様において、呼吸器疾病を治療するための方法は、少なくとも０．０１ｐｐｍの最終濃度でＰＨＰＧを有する環境に被験者を曝す工程を含む。一態様において、ＰＨＰＧの濃度は少なくとも０．０５ｐｐｍであってよい。一態様において、ＰＨＰＧの濃度は少なくとも０．１ｐｐｍであってよい。別の態様において、ＰＨＰＧ濃度は０．２ｐｐｍであってよい。さらに別の態様において、ＰＨＰＧ濃度は０．２５ｐｐｍであってよい。一態様において、ＰＨＰＧの濃度は少なくとも０．４ｐｐｍまたは０．５ｐｐｍであってよい。一態様において、ＰＨＰＧの濃度は少なくとも０．６または０．７ｐｐｍであってよい。別の態様において、ＰＨＰＧ濃度は最大で１．０ｐｐｍであってよい。さらに別の態様において、ＰＨＰＧ濃度は０．１と７．０ｐｐｍとの間であってよい。
【００８９】
多くの態様において、呼吸器疾病は、動物または人間などの被験者の０．０１と７．０ｐｐｍとの間の範囲のレベルのＰＨＰＧへの施設における継続的な曝露によって治療してよい。特定の態様において、被験者は、丸１日未満にわたって０．０１から５．０ｐｐｍの範囲のＰＨＰＧに曝してよい。一態様において、被験者は、１日当たり少なくとも１、２、３、４、５、６、７、または、少なくとも８時間にわたってこれらのＰＨＰＧ濃度に曝してよい。別の態様において、被験者は、少なくとも４時間にわたって少なくとも０．５ｐｐｍのＰＨＰＧを含む環境に曝してよい。一態様において、被験者は、７日間で２、３、４、５、６、または、７回以上、少なくとも０．５ｐｐｍのＰＨＰＧを含む環境に曝してよい。他の態様において、被験者のＰＨＰＧへの曝露は予防策として定期的に反復してよい。
【００９０】
本開示による態様において、肺機能の改善は、静的肺容量の増加、全肺気量の増加、動脈血液ガスの酸素の分圧の上昇、残気量の減少、または、これらのいずれかの組み合わせを含む。肺機能は肺活量測定を使用して測定可能である。
【００９１】
多くの態様において、肺機能の改善のための方法は、少なくとも０．０１ｐｐｍの最終濃度でＰＨＰＧを有する環境に被験者を曝す工程を含む。一態様において、ＰＨＰＧの濃度は少なくとも０．０５ｐｐｍであってよい。一態様において、ＰＨＰＧの濃度は少なくとも０．１ｐｐｍであってよい。別の態様において、ＰＨＰＧ濃度は０．２ｐｐｍであってよい。さらに別の態様において、ＰＨＰＧ濃度は０．２５であってよい。一態様において、ＰＨＰＧの濃度は少なくとも０．４ｐｐｍまたは０．５ｐｐｍであってよい。一態様において、ＰＨＰＧの濃度は少なくとも０．６または０．７ｐｐｍであってよい。別の態様において、ＰＨＰＧ濃度は最大で１．０ｐｐｍであってよい。さらに他の態様において、ＰＨＰＧ濃度は０．１と７．０ｐｐｍとの間であってよい。
【００９２】
本開示による態様において、呼吸器系は、被験者の少なくとも４時間にわたるＰＨＰＧへの曝露によって治療する。他の態様において、被験者のＰＨＰＧへの曝露は連続した少なくとも１５、少なくとも３０、少なくとも６０、少なくとも９０、少なくとも１２０、少なくとも１８０、少なくとも２４０、少なくとも３００、少なくとも３６０、少なくとも４２０、または、少なくとも４８０分にわたる。いくつかの態様において、治療は２４時間または４８時間中の少なくとも１５、少なくとも３０、少なくとも６０、少なくとも９０、または、少なくとも１２０分にわたるＰＨＰＧへの曝露を含む。別の態様において、治療は７日間での少なくとも８、少なくとも１６、または、少なくとも２４時間にわたるＰＨＰＧへの曝露を含む。いくつかの態様において、治療は少なくとも１、２、３、４、５、６、７、８、または、９時間以上にわたるＰＨＰＧへの曝露を含む。別の態様において、ＰＨＰＧを使用した治療は毎日、毎週、隔週、または、毎月、１、２、３、または、４回以上反復する。
【００９３】
特定の態様において、曝露の時間はＰＨＰＧの濃度を高めるに従い短縮してよい。最大７ｐｐｍのレベルにおいてさえ毒性のない一方、曝露時間の短縮によって曝露レベルを低減することが望ましい。以下にさらに詳細に説明するように、本開示の方法は被験者の「ＰＨＰＧ供与量」への曝露を提供する。本明細書で使用するように、供与量は、被験者をＰＨＰＧ含有環境に曝す時間数を乗じたｐｐｍでのＰＨＰＧの濃度と等価のＰＨＰＧの「単位数」で定義可能である。
【００９４】
本開示は、必要とする被験者に、少なくとも０．０１百万分率（ｐｐｍ）の最終濃度で、水和とオゾンを含まない精製過酸化水素ガス（ＰＨＰＧ）を含む環境を設ける工程を含む、治療を必要とする被験者の呼吸器症状を治療するための方法を提供し、かつ、含む。別の態様において、治療を必要とする被験者の呼吸器症状を治療するための方法は、少なくとも０．０５ｐｐｍの最終濃度でＰＨＰＧを供給する工程を含んでよい。
【００９５】
本開示は、少なくとも０．０５百万分率（ｐｐｍ）の最終濃度で、水和とオゾンを含まない精製過酸化水素ガス（ＰＨＰＧ）を含むＰＨＰＧ含有環境を設ける工程と、１つの期間にわたり被験者を前記ＰＨＰＧ含有環境に曝す工程と、を含み、呼吸器感染症の重篤度を低減する、被験者の呼吸器感染症の重篤度を低減するための方法を提供し、かつ、含む。別の態様において、ＰＨＰＧの最終濃度は０．０１ｐｐｍであってよい。
【００９６】
本開示による態様において、呼吸器感染症は、重症急性呼吸器症候群（ＳＡＲＳ）、中東呼吸器症候群（ＭＥＲＳ）、エボラ出血熱、豚繁殖・呼吸障害症候群ウイルス（ＰＲＲＳＶ）感染症、および、呼吸器合胞体ウイルス（ＲＳＶ）からなる群から選択する。
【００９７】
多くの態様において、呼吸器感染症の重篤度を低減するための方法は、少なくとも０．０１ｐｐｍの最終濃度でＰＨＰＧを有する環境に被験者を曝す工程を含む。一態様において、ＰＨＰＧの濃度は少なくとも０．０５ｐｐｍであってよい。一態様において、ＰＨＰＧの濃度は少なくとも０．１ｐｐｍであってよい。別の態様において、ＰＨＰＧ濃度は０．２ｐｐｍであってよい。さらに別の態様において、ＰＨＰＧ濃度は０．２５ｐｐｍであってよい。一態様において、ＰＨＰＧの濃度は少なくとも０．４ｐｐｍまたは０．５ｐｐｍであってよい。一態様において、ＰＨＰＧの濃度は少なくとも０．６または０．７ｐｐｍであってよい。別の態様において、ＰＨＰＧ濃度は最大１．０ｐｐｍであってよい。さらに別の態様において、ＰＨＰＧ濃度は０．１と７．０ｐｐｍとの間であってよい。
【００９８】
多くの態様において、呼吸器感染症の重篤度を低減するための方法は、動物または人間などの被験者を０．０１と７．０ｐｐｍとの間の範囲のレベルのＰＨＰＧに施設において継続的に曝す工程を含む。特定の態様において、被験者は丸１日未満にわたって０．０１から５．０ｐｐｍの範囲のＰＨＰＧに曝してよい。一態様において、被験者は１日当たり少なくとも１、２、３、４、５、６、７、または、少なくとも８時間にわたってこれらのＰＨＰＧ濃度に曝してよい。別の態様において、被験者は少なくとも４時間にわたって少なくとも０．５ｐｐｍのＰＨＰＧを含む環境に曝してよい。一態様において、被験者は７日間で２、３、４、５、６、または、７回以上、少なくとも０．５ｐｐｍのＰＨＰＧを含む環境に曝してよい。他の態様において、被験者のＰＨＰＧへの曝露は予防策として定期的に反復してよい。
【００９９】
本開示は、水和とオゾンを含まない精製過酸化水素ガス（ＰＨＰＧ）を環境に対して生成する工程であって、環境は少なくとも０．０５百万分率の最終濃度でＰＨＰＧを蓄積する工程と、１つの期間にわたりＰＨＰＧ含有環境に被験者を曝す工程と、を含む被験者の呼吸器系内の病原体を管理するための方法を提供し、かつ、含む。いくつかの態様において、病原体はウイルス、細菌、真菌、および、寄生生物からなる群から選択する。他の態様において、ＰＨＰＧの最終濃度は少なくとも０．０１ｐｐｍである。
【０１００】
本開示による態様において、呼吸器系は気管、気管支、伝達細気管支、呼吸細気管支、肺細嚢、口腔、および、鼻咽頭腔の１つまたは複数を含む。
【０１０１】
本開示による態様において、本明細書に提供している方法によって防除、治療、または、緩和する真菌はAspergillus属からのものである。他の態様において、真菌はHistoplasma capsulatum、blastomyces、Cryptococcus neoformans、Pneumocystis jiroveci、Coccidioides immitis、Blastomyces dermatitidis、Pneumocystis jirovecii、Sporothrix schenckii、Cryptococcus neoformans、Aspergillus fumigatus、および、Candida albicansからなる群から選択する。
【０１０２】
本開示による態様において、本明細書で提供する方法によって防除、治療、または、緩和するウイルスは、２本鎖ＤＮＡウイルス、１本鎖ＤＮＡウイルス、２本鎖ＲＮＡウイルス、プラスセンス１本鎖ＲＮＡウイルス、マイナスセンス１本鎖ＲＮＡウイルス、１本鎖ＲＮＡレトロウイルス、または、２本鎖ＤＮＡレトロウイルスである。
【０１０３】
本開示による態様において、本明細書で提供する方法によって防除、治療、または、緩和する細菌は、Acinetobacter baumannii、Mycoplasma、Pneumococcus、Chlamydophila pneumoniae、Mycobacterium tuberculosis、Streptococcus pneumoniae、Haemophilus species、または、Staphylococcus aureusである。
【０１０４】
本開示による態様において、本明細書で提供する方法によって防除、治療、または、緩和する寄生生物は、原生動物、線形動物、または、吸虫である。他の態様において、寄生生物は、Toxoplasma gondii、Strongyloides stercoralis、Ascaris lumbricoides、Plasmodium malariae、Echinococcus granulosus、Dirofilaria immitis、Paragonimus westermani、Entamoeba histolytica、Ascaris lumbricoides、Ancylostoma duodenale、Necator americanus、Toxocara canis、Schistosoma mansoni、Schistosomahaematobiu、Schistosoma japanicum、Strongyloides stercoralis、Wuchereria bancrofti、および、Brugia malayiからなる群から選択する。
【０１０５】
本開示は、水和とオゾンを含まない過酸化水素ガスを生成する工程と、過酸化水素ガスを環境に供給する工程であって、環境は少なくとも０．０５百万分率の最終濃度でＰＨＰＧを蓄積する工程と、呼吸器感染症のリスクのある被験者を１日当たり少なくとも４時間にわたって環境に曝す工程と、を含む呼吸器感染症を防止するための方法を提供し、かつ、含む。別の態様において、呼吸器感染症を防止するための方法は、水和とオゾンを含まない過酸化水素ガスを生成する工程と、過酸化水素ガスを環境に供給する工程であって、環境は少なくとも０．０１百万分率の最終濃度でＰＨＰＧを蓄積する工程と、呼吸器感染症のリスクのある被験者を１日当たり少なくとも４時間にわたって環境に慢性的に曝す工程と、を含む。他の態様において、呼吸器感染症のリスクのある被験者は、０．０１または０．０５ｐｐｍの濃度でＰＨＰＧに継続的に曝してよい。
【０１０６】
本開示は、少なくとも０．０５百万分率の最終濃度で、水和とオゾンを含まない精製過酸化水素ガス（ＰＨＰＧ）を含む環境を設ける工程と、呼吸器感染症を有する第１の被験者を１つまたは複数の期間にわたり環境に曝す工程と、を含む、呼吸器感染症を有する第１の被験者から呼吸器感染症を有さない第２の被験者への呼吸器感染症の伝染を低減するための方法を提供し、かつ、含む。別の態様において、ＰＨＰＧは呼吸器感染症の伝染を低減するために少なくとも０．０１ｐｐｍの最終濃度で供給してよい。
【０１０７】
多くの態様において、呼吸器感染症の伝染を低減するための方法は、少なくとも０．０１ｐｐｍの最終濃度でＰＨＰＧを有する環境に被験者を曝す工程を含む。一態様において、ＰＨＰＧの濃度は少なくとも０．０５ｐｐｍであってよい。一態様において、ＰＨＰＧの濃度は少なくとも０．１ｐｐｍであってよい。別の態様において、ＰＨＰＧ濃度は０．２ｐｐｍであってよい。さらに別の態様において、ＰＨＰＧ濃度は０．２５ｐｐｍであってよい。一態様において、ＰＨＰＧの濃度は少なくとも０．４ｐｐｍまたは０．５ｐｐｍであってよい。一態様において、ＰＨＰＧの濃度は少なくとも０．６または０．７ｐｐｍであってよい。別の態様において、ＰＨＰＧ濃度は最大で１．０ｐｐｍであってよい。さらに別の態様において、ＰＨＰＧ濃度は０．１と７．０ｐｐｍとの間であってよい。
【０１０８】
多くの態様において、呼吸器感染症の伝染を低減するための方法は、動物または人間などの被験者を０．０１と７．０ｐｐｍとの間の範囲のレベルのＰＨＰＧに施設内で継続的にさらす工程を含む。特定の態様において、被験者は丸１日未満にわたって０．０１から５．０ｐｐｍの範囲のＰＨＰＧに曝してよい。一態様において、被験者は、１日当たり少なくとも１、２、３、４、５、６、７、または、少なくとも８時間にわたってこれらのＰＨＰＧ濃度に曝してよい。別の態様において、被験者は、少なくとも４時間にわたって少なくとも０．５ｐｐｍのＰＨＰＧを含む環境に曝してよい。一態様において、被験者は、７日間で２、３、４、５、６、または、７回以上、少なくとも０．５ｐｐｍのＰＨＰＧを含む環境に曝してよい。他の態様において、被験者のＰＨＰＧへの曝露は、予防策として定期的に反復してよい。
【０１０９】
本開示は、水和とオゾンを含まない精製過酸化水素ガス（ＰＨＰＧ）を含む環境に被験者を曝す工程を含み、環境が少なくとも０．０５百万分率の最終濃度でＰＨＰＧを蓄積する、被験者の肺の中の内因性Ｈ２Ｏ２を補完する方法を提供し、かつ、含む。別の態様において、肺の中の内因性Ｈ２Ｏ２は、０．０１ｐｐｍのＰＨＰＧ濃度に被験者を曝すことによって補完可能である。
【０１１０】
本開示は、少なくとも０．０１百万分率の最終濃度で、水和とオゾンを含まない精製過酸化水素ガス（ＰＨＰＧ）を含む環境を設ける工程と、被験者を１つまたは複数の期間にわたって前記環境に曝し、それによって、前記被験者の肺の中のハイポチオシアン酸イオンのレベルを高める工程と、を含む被験者の呼吸器感染症に対する宿主防御をシミュレートするための方法を提供し、かつ、含む。別の態様において、被験者の呼吸器感染症に対する宿主防御をシミュレートするための方法は、少なくとも０．０１ｐｐｍの最終濃度で精製過酸化水素ガス（ＰＨＰＧ）を供給する工程を含む。
【０１１１】
本開示は、水和とオゾンを含まない精製過酸化水素ガス（ＰＨＰＧ）を環境に対して生成する工程であって、環境は少なくとも０．０５百万分率の最終濃度でＰＨＰＧを蓄積する工程と、１つの期間にわたって被験者をＰＨＰＧ含有環境に曝す工程と、を含む前記被験者の肺に影響を及ぼす症状を管理するための方法を提供し、かつ、含む。他の態様において、ＰＨＰＧ濃度は少なくとも０．０１ｐｐｍであってよい。本開示による態様において、症状は、慢性閉塞性肺疾患（ＣＯＰＤ）、肺炎、アレルギー、喘息、早期接触、および、嚢胞性線維症からなる群から選択する。
【０１１２】
本開示の１つの態様において、ＰＨＰＧへの曝露は、深呼吸運動、体位ドレナージ、刺激肺活量測定、および、胸部理学療法からなる群から選択する呼吸器治療法との組み合わせとなっている。
【０１１３】
本開示は、少なくとも０．０５百万分率の最終濃度で、水和とオゾンを含まない精製過酸化水素ガス（ＰＨＰＧ）を含む環境を設ける工程と、被験者を１つまたは複数の期間にわたって環境に曝す工程と、を含み、呼吸器感染症の重篤度を低減する、被験者の呼吸器感染症の重篤度を低減するための方法を提供し、かつ、含む。他の態様において、呼吸器感染症の重篤度は０．０１ｐｐｍの濃度でのＰＨＰＧの供給によって低減可能である、
【０１１４】
本開示は、少なくとも０．０５百万分率の最終濃度で、水和とオゾンを含まない精製過酸化水素ガス（ＰＨＰＧ）を含む環境を設ける工程と、１つまたは複数の期間にわたって被験者を環境に曝す工程と、を含む被験者の肺の中のラクトペルオキシダーゼ（ＬＰＯ）による触媒でのハイポチオシアン酸イオン産生の速度を高めるための方法を提供し、かつ、含む。別の態様において、被験者の肺の中のラクトペルオキシダーゼ（ＬＰＯ）による触媒でのハイポチオシアン酸イオン産生の速度を高めるために、ＰＨＰＧは０．０１ｐｐｍで供給してよい。
【０１１５】
本開示は、少なくとも０．０５百万分率の最終濃度で、水和とオゾンを含まない精製過酸化水素ガス（ＰＨＰＧ）を含む環境を設ける工程と、１つまたは複数の期間にわたって被験者を環境に曝す工程と、を含む被験者の肺機能を改善するための方法を提供し、かつ、含む。別の態様において、肺機能を改善するためのＰＨＰＧの最終濃度は少なくとも０．０１ｐｐｍであってよい。
【０１１６】
本開示は、水和とオゾンを含まない過酸化水素ガスを生成する工程と、環境に過酸化水素ガスを供給する工程であって、環境は少なくとも０．０５百万分率の最終濃度でＰＨＰＧを蓄積する工程と、を含む被験者の呼吸器疾病の防止、治療、または、管理に適した環境の作成のための精製過酸化水素ガス（ＰＨＰＧ）の使用を提供し、かつ、含む。一態様において、被験者の呼吸器疾病の予防、治療、または、管理に適した環境は０．０１ｐｐｍのＰＨＰＧを有する環境を含む。
【０１１７】
多くの態様において、呼吸器疾病の防止、治療、または、管理に適した環境の作成のための精製過酸化水素ガス（ＰＨＰＧ）の使用は、密閉空間内にＰＨＰＧを導入する工程と、ＰＨＰＧの濃度を０．０１と７．０ｐｐｍとの間の範囲に維持する工程と、を含む。特定の態様において、ＰＨＰＧは０．２ｐｐｍを超える濃度に維持してよい。さらに別の態様において、ＰＨＰＧは０．２５ｐｐｍを超える濃度に維持してよい。一態様において、ＰＨＰＧの濃度は少なくとも０．４ｐｐｍまたは少なくとも０．５ｐｐｍであってよい。一態様において、ＰＨＰＧの濃度は少なくとも０．６または少なくとも０．７ｐｐｍであってよい。別の態様において、ＰＨＰＧ濃度は最大１．０ｐｐｍであってよい。さらに別の態様において、ＰＨＰＧ濃度は０．１と７．０ｐｐｍとの間であってよい。
【０１１８】
本開示は、少なくとも０．０１百万分率（ｐｐｍ）の最終濃度で、水和とオゾンを含まないＰＨＰＧを含む環境を設ける工程と、少なくとも１つの期間にわたって被験者を環境に曝す工程と、を含む被験者の呼吸器疾病による死亡率を低減するための方法を提供し、かつ、含む。多くの態様において、死亡率を低減するための方法は、少なくとも０．０１ｐｐｍの最終濃度でＰＨＰＧを有する環境に被験者を曝す工程を含む。一態様において、ＰＨＰＧの濃度は少なくとも０．０５ｐｐｍであってよい。一態様において、ＰＨＰＧの濃度は少なくとも０．１ｐｐｍであってよい。別の態様において、ＰＨＰＧ濃度は少なくとも０．２ｐｐｍであってよい。さらに別の態様において、ＰＨＰＧ濃度は少なくとも０．２５ｐｐｍであってよい。一態様において、ＰＨＰＧの濃度は少なくとも０．４ｐｐｍまたは少なくとも０．５ｐｐｍであってよい。一態様において、ＰＨＰＧの濃度は少なくとも０．６または少なくとも０．７ｐｐｍであってよい。別の態様において、ＰＨＰＧ濃度は最大１．０ｐｐｍであってよい。さらに別の態様において、ＰＨＰＧ濃度は０．１と７．０ｐｐｍとの間であってよい。
【０１１９】
多くの態様において、死亡率を低減するための方法は、０．０１と７．０ｐｐｍとの間の範囲のレベルのＰＨＰＧに被験者を施設において継続的に曝す工程を含む。特定の態様において、被験者は、丸１日未満にわたって０．０１から５．０ｐｐｍの範囲のＰＨＰＧに曝してよい。一態様において、被験者は１日当たり少なくとも１、２、３、４、５、６、７、または、少なくとも８時間にわたってこれらのＰＨＰＧ濃度に曝してよい。別の態様において、被験者は、少なくとも４時間にわたって少なくとも０．５ｐｐｍのＰＨＰＧを含む環境に曝してよい。一態様において、被験者は、７日間で２、３、４、５、６、または、７回以上、少なくとも０．５ｐｐｍのＰＨＰＧを含む環境に曝してよい。別の態様において、被験者のＰＨＰＧへの曝露は定期的に反復してよい。
【０１２０】
本開示は、精製過酸化水素ガス（ＰＨＰＧ）を製造するための装置を設ける工程を含み、前記ＰＨＰＧは水和およびオゾンがなく、環境は感染性因子、アレルギー誘発物質、または、それらの組み合わせのレベルが低減している、被験者の占有に適した環境を作成するための方法を提供し、かつ、含む。
【０１２１】
本開示による態様において、被験者のＰＨＰＧ含有環境への曝露は、「ＰＨＰＧの供与量」として説明可能である。本明細書で使用するように、供与量は、被験者をＰＨＰＧ含有環境に曝す時間数を乗じたｐｐｍでのＰＨＰＧの濃度と等価のＰＨＰＧの「単位」で定義可能である。例えば、１時間にわたって０．０１ｐｐｍのＰＨＰＧを有する環境に曝した被験者へのＰＨＰＧの供与量は０．０１単位のＰＨＰＧである。５時間にわたって０．５ｐｐｍのＰＨＰＧを含む環境に曝した被験者は２．５単位の有効供与量のＰＨＰＧを受けている。
【０１２２】
本開示による一態様において、被験者は、少なくとも０．５時間にわたって少なくとも０．０１ｐｐｍのＰＨＰＧ濃度を有する環境に曝す（０．０５単位の最小供与量のＰＨＰＧ）。別の態様において、被験者は、１日当たり少なくとも０．１、０．２、０．３、０．４、０．５、１．０、１．５、２．０、５．０、または、少なくとも１０．０の供与量でＰＨＰＧに曝す。いくつかの態様において、被験者は１日当たり２４単位のＰＨＰＧの最大供与量にまで曝す。一態様において、病状の予防、緩和、または、治療を含む被験者の健康を改善するための方法は、１日当たり約０．０２と約０．０６単位との間のＰＨＰＧの供与量に被験者を曝す工程を含む。
【０１２３】
本開示による一態様において、被験者は最小供与量のＰＨＰＧに毎日曝す。他の態様において、被験者は１週間当たり少なくとも２回最小供与量のＰＨＰＧに曝す。別の態様において、被験者は、１週間当たり少なくとも３、４、５、６、または、７回ＰＨＰＧに曝す。いくつかの態様において、被験者は、１日当たり２回以上ＰＨＰＧに曝す。
【０１２４】
本開示による一態様において、被験者は、１カ月当たり少なくとも５回最小供与量のＰＨＰＧに曝す。別の態様において、被験者は、１カ月当たり少なくとも１０、１５、２０、または、２５回ＰＨＰＧに曝す。一態様において、被験者は、１カ月当たり少なくとも１回、２回、または、３回月曜日から金曜日まで最小供与量のＰＨＰＧに曝す。
【０１２５】
本開示による一態様において、被験者は、少なくとも０．５時間にわたって少なくとも０．０２ｐｐｍ、少なくとも０．０５ｐｐｍ、少なくとも０．１、少なくとも０．２、または、少なくとも０．５ｐｐｍのＰＨＰＧ濃度を有する環境に曝す。他の態様において、被験者は、１日当たり少なくとも１、２、３、４、５、６、７、または、少なくとも８時間にわたってこれらのＰＨＰＧ濃度にさらす。
【０１２６】
特定の態様において、ＰＨＰＧの量は、環境において約０．００５ｐｐｍから約０．１０ｐｐｍ、より詳細には約０．０２ｐｐｍから約０．０５ｐｐｍまで変化してよい。特定の態様において、ＰＨＰＧの量は、約０．００５ｐｐｍから約０．４０ｐｐｍまで変化してよい。３．５ｍｇ／Ｌほどに低い絶対湿度を含む未処理の空気の供給を使用した０．２ｐｐｍのＰＨＰＧレベルを一定して達成可能である。より詳細には、湿潤再循環空気を使用した約０．０９ｐｐｍから約０．１３ｐｐｍのＰＨＰＧレベルは、処理すべき環境内で作成可能である。
【０１２７】
本開示の特定の態様において、周囲の空気の湿度は、好ましくは、約１％を超える相対湿度（ＲＨ）、約５％を超えるＲＨ、約１０％を超えるＲＨなどである。特定の態様において、周囲の空気の湿度は、約１０％と約９９％ＲＨとの間であってよい。１つの態様において、本開示の方法は、周囲の空気の湿度を約５％から約９９％ＲＨ、または、約１０％から約９９％ＲＨの範囲内に調節する工程を含む。
【０１２８】
屋内の空気の劣悪な質は、人間にアレルギーを誘発し、呼吸器感染症をもたらす主要な要因の１つである。限定された空間は、人間または動物などの被験者における他の感染症にもつながる。微生物、毒素、および、アレルギー誘発物質の存在は、主に貧弱な換気、過剰な水分、ならびに、不適切な清掃および消毒によるものである。真菌、細菌、および、寄生生物（例えば、ダニ、シラミ）はこれらのアレルギー誘発物質をもたらす。閉鎖環境内のこれらのアレルギー誘発物質の発生源の低減または排除によってそれらの濃度を低減可能ないくつかの知られた手順があるが、これらの手順は、全般に、人間および動物に有害な化学物質に基づいている。
【０１２９】
本開示は、副鼻腔炎を治療する方法を提供し、かつ、含む。屋内の空気の劣悪な質による呼吸器の問題の１つが副鼻腔炎である。副鼻腔炎は細菌（例えば、連鎖球菌、ブドウ球菌、肺炎球菌、インフルエンザ菌）、ウイルス（例えば、ライノウイルス、インフルエンザウイルス、パラインフルエンザウイルス）、または、真菌（例えば、Aspergillus、Dematiaceae、Mucoraceae、Penicillium sp.）によって引き起こされることがある。副鼻腔炎（または、副鼻腔の炎症）の発生は増加しているようである。医療専門家は、毎年３，７００万人の米国人が副鼻腔炎に罹患していると推定している。米国人は、その副鼻腔の症状のための医薬品に毎年何百万ドルも費やしている。
【０１３０】
本開示の態様において、被験者を１つの期間にわたってＰＨＰＧ環境に曝す工程を含む副鼻腔炎を治療するための方法を提供する。一態様において、副鼻腔炎を有する被験者は、１日当たり少なくとも平均４時間にわたって少なくとも０．０１ｐｐｍのＰＨＰＧを有するＰＨＰＧ環境に居住する。他の態様において、ＰＨＰＧは少なくとも０．０５ｐｐｍの濃度で供給する。本開示による態様において、被験者は、急性副鼻腔炎、亜急性副鼻腔炎、慢性副鼻腔炎、または、再発性副鼻腔炎を有してよい。重要なことに、被験者の副鼻腔炎の根本的な原因は、ＰＨＰＧを使用した治療から恩恵を受けるためには知る必要がない。一態様において、副鼻腔炎は真菌、細菌、ウイルス、または、アレルギー誘発物質に引き起こされたものであってよい。
【０１３１】
細菌は副鼻腔炎において最も一般的な感染性因子であり、細菌性副鼻腔炎は本開示の方法を使用して治療可能である。副鼻腔炎に最も一般的に関与している細菌はStreptococcus pneumoniae（肺炎球菌肺炎またはpneumoccocciとも呼ばれる）、Haemophilus influenza、および、Moraxella catarrhalisである。このそれぞれは本開示の方法によって治療可能である。これほど一般的ではない細菌性の原因は、他の連鎖球菌株（Ａ群  Streptococcusを含む）およびStaphylococcus aureusを含む。加えて、凝固酵素陰性ブドウ球菌、アルファ溶血性連鎖球菌、および、腸内細菌が慢性副鼻腔炎において見出され得ており、これらは被験者のＰＨＰＧ含有環境への曝露によって治療可能である。
【０１３２】
本明細書に同じく提供するように、本方法によって治療可能な副鼻腔炎は真菌が引き起こしたものであってよい。特定の態様において、真菌が引き起こした副鼻腔炎に対する治療を必要としている被験者は、糖尿病、白血病、エイズ、または、免疫システムを妨害する他の症状を持つ被験者を含めて、さらに多くの根本的症状を有してよい。それほど一般的ではないが、真菌の感染症は健康な免疫システムを持つ患者にも発生し得る。アレルギー型反応による真菌性の副鼻腔炎を有する被験者も本開示の方法を使用して治療可能である。
【０１３３】
一態様において、本方法によって治療可能な真菌性副鼻腔炎はZygomycetes（Mucor spp.）およびAscomycetes（Aspergillus spp.）の各綱を起源としてよい。別の態様において、ＰＨＰＧ含有環境への曝露によって治療可能な真菌性副鼻腔炎は、真菌性副鼻腔炎の最も一般的な原因であるAspergillusであってよい。他の態様において、真菌性副鼻腔炎は、Curvularia、Bipolaria、Exserohilum、または、Mucormycosisによって引き起こされたものであってよい。さらなる態様において、本方法は、人間の健康に特別な脅威を与え、空気サンプリングにおいて見出される最も支配的な真菌である３つの主要なタイプの真菌、Penicillum、Stachybotrys、および、Aspergillusの治療を提供する。重要なことに、ＰＨＰＧ含有環境を設ける工程は、真菌の胞子および菌糸も低減、緩和、または、排除する。しかし、特定の態様において、真菌に曝した被験者は、たとえ未処理の環境においてＰＨＰＧへの曝露が行われても、ＰＨＰＧから恩恵を受ける。
【０１３４】
本開示は、実験動物のＰＨＰＧ含有環境への曝露によって実験動物を治療する方法を提供し、かつ、含む。現在、米農務省（ＵＳＤＡ）に登録済みの少なくとも１，３００の研究施設および２２３の連邦機関が登録済みの実験動物を使用している（Crawford、「A review of the animal welfare enforcement report data,1973−1995」、AWIC Newsletter、Summer 1996）。死亡率および臨床疾患に加えて、多くの実験動物が無症状感染に苦しみ、その際に疾患の明白な兆候が観察されていないことが知られている。実験動物は、その数、多様性、および、相互近接性、ならびに、それらが密閉施設内に生存していることから、密閉空間の空気の質に特に敏感である。そのため、呼吸器の病原体が一旦施設に侵入すると、伝染を排除および防止することが困難となる。さらに、動物が進行中の研究の一部をなしている場合、動物を犠牲にすることが実行不可能となることがある。
【０１３５】
本開示は、少なくとも０．０１百万分率（ｐｐｍ）の最終濃度で、水和とオゾンを含まない精製過酸化水素ガス（ＰＨＰＧ）を供給する工程と、１つまたは複数の期間にわたって環境に実験動物を曝す工程と、を含む実験動物を治療するための方法を提供し、かつ、含む。一態様において、ＰＨＰＧの濃度は、少なくとも０．０５ｐｐｍであってよい。一態様において、ＰＨＧＰの濃度は少なくとも０．１ｐｐｍであってよい。別の態様において、ＰＨＰＧ濃度は０．２ｐｐｍであってよい。さらに別の態様において、ＰＨＰＧ濃度は少なくとも０．２５ｐｐｍであってよい。一態様において、ＰＨＰＧの濃度は少なくとも０．４ｐｐｍまたは少なくとも０．５ｐｐｍであってよい。一態様において、ＰＨＰＧの濃度は少なくとも０．６または０．７ｐｐｍであってよい。別の態様において、ＰＨＰＧ濃度は最大１．０ｐｐｍであってよい。さらに別の態様において、ＰＨＰＧ濃度は０．１と７．０ｐｐｍとの間であってよい。
【０１３６】
多くの態様において、実験動物は０．０１と７．０ｐｐｍとの間の範囲のレベルのＰＨＰＧを使用して施設において継続的に治療してよい。特定の態様において、実験動物は丸１日未満にわたって０．０１から５．０ｐｐｍの範囲のＰＨＰＧを使用して治療してよい。一態様において、実験動物は１日当たり少なくとも１、２、３、４、５、６、７、または、少なくとも８時間にわたってこれらのＰＨＰＧ濃度に曝してよい。別の態様において、実験動物は、少なくとも８時間にわたって少なくとも１．０、２．０、３．０．４．０、５．０、６．０、または、少なくとも７．０ｐｐｍのＰＨＰＧを含む環境に曝してよい。さらに他の態様において、実験動物は、低レベルのＰＨＰＧで継続的に治療してよく、感染症が識別された際、または、感染症が施設に導入された際には高レベルのＰＨＰＧを供給してよい。
【０１３７】
本開示は、水和とオゾンを含まない精製過酸化水素ガス（ＰＨＰＧ）を環境に対して生成する工程であって、環境は０．０１百万分率の最終濃度でＰＨＰＧを蓄積する工程と、被験者を１つの期間にわたってＰＨＰＧ含有環境に曝す工程と、を含む被験者の肺に影響を及ぼす症状を管理するための方法を提供し、かつ、含む。本開示による態様において、症状は慢性閉塞性肺疾患（ＣＯＰＤ）、肺炎、アレルギー、喘息、早期接触、および、嚢胞性線維症からなる群から選択する。
【０１３８】
本開示は、少なくとも０．０１ｐｐｍのＰＨＰＧ濃度を有する環境に被験者を曝す工程を含むＣＯＰＤを管理するための方法を提供し、かつ、含む。一態様において、ＰＨＰＧの濃度は少なくとも０．０５ｐｐｍであってよい。一態様において、ＰＨＰＧの濃度は少なくとも０．１ｐｐｍであってよい。別の態様において、ＰＨＰＧ濃度は少なくとも０．２ｐｐｍであってよい。さらに別の態様において、ＰＨＰＧ濃度は少なくとも０．２５ｐｐｍであってよい。一態様において、ＰＨＰＧの濃度は少なくとも０．４ｐｐｍまたは少なくとも０．５ｐｐｍであってよい。一態様において、ＰＨＰＧの濃度は少なくとも０．６または少なくとも０．７ｐｐｍであってよい。別の態様において、ＰＨＰＧ濃度は最大で１．０ｐｐｍであってよい。さらに別の態様において、ＰＨＰＧ濃度は０．１と７．０ｐｐｍとの間であってよい。
【０１３９】
多くの態様において、ＣＯＰＤは被験者を０．０１と７．０ｐｐｍとの間の範囲のレベルのＰＨＰＧに施設において継続的に曝すことによって管理可能である。特定の態様において、被験者は丸１日未満にわたって０．０１から５．０ｐｐｍの範囲のＰＨＰＧに曝してよい。一態様において、被験者は、１日当たり少なくとも１、２、３、４、５、６、７、または、少なくとも８時間にわたってこれらのＰＨＰＧ濃度に曝してよい。別の態様において、被験者は、少なくとも８時間にわたって少なくとも１．０、２．０、３．０、４．０、５．０、６．０、または、少なくとも７．０ｐｐｍのＰＨＰＧを含む環境に曝してよい。
【０１４０】
本開示は、少なくとも０．０２ｐｐｍのＰＨＰＧ濃度を有する環境に被験者を曝す工程を含む肺炎を管理するための方法を提供し、かつ、含む。一態様において、ＰＨＰＧの濃度は少なくとも０．０５ｐｐｍであってよい。一態様において、ＰＨＰＧの濃度は少なくとも０．１ｐｐｍであってよい。別の態様において、ＰＨＰＧ濃度は少なくとも０．２ｐｐｍであってよい。さらに別の態様において、ＰＨＰＧ濃度は少なくとも０．２５ｐｐｍであってよい。一態様において、ＰＨＰＧの濃度は少なくとも０．４ｐｐｍまたは少なくとも０．５ｐｐｍであってよい。一態様において、ＰＨＰＧの濃度は少なくとも０．６または少なくとも０．７ｐｐｍであってよい。別の態様において、ＰＨＰＧ濃度は最大で１．０ｐｐｍであってよい。さらに別の態様において、ＰＨＰＧ濃度は０．１と７．０ｐｐｍとの間であってよい。
【０１４１】
多くの態様において、肺炎は被験者の０．０１と７．０ｐｐｍとの間の範囲のレベルのＰＨＰＧへの施設における継続的な曝露によって管理可能である。特定の態様において、被験者は丸１日未満にわたって０．０１から５．０ｐｐｍの範囲のＰＨＰＧに曝してよい。一態様において、被験者は、１日当たり少なくとも１、２、３、４、５、６、７、または、少なくとも８時間にわたってこれらのＰＨＰＧ濃度に曝してよい。別の態様において、被験者は、少なくとも８時間にわたって少なくとも１．０、２．０、３．０、４．０、５．０、６．０、または、少なくとも７．０ｐｐｍのＰＨＰＧを含む環境に曝してよい。
【０１４２】
本開示は、少なくとも０．０２ｐｐｍのＰＨＰＧ濃度を有する環境に被験者を曝す工程を含むアレルギーを管理するための方法を提供し、かつ、含む。一態様において、ＰＨＰＧの濃度は少なくとも０．０５ｐｐｍであってよい。一態様において、ＰＨＰＧの濃度は少なくとも０．１ｐｐｍであってよい。別の態様において、ＰＨＰＧ濃度は少なくとも０．２ｐｐｍであってよい。さらに別の態様において、ＰＨＰＧ濃度は少なくとも０．２５ｐｐｍであってよい。一態様において、ＰＨＰＧの濃度は少なくとも０．４ｐｐｍまたは少なくとも０．５ｐｐｍであってよい。一態様において、ＰＨＰＧの濃度は少なくとも０．６または少なくとも０．７ｐｐｍであってよい。別の態様において、ＰＨＰＧ濃度は最大で１．０ｐｐｍであってよい。さらに別の態様において、ＰＨＰＧ濃度は０．１と７．０ｐｐｍとの間であってよい。
【０１４３】
多くの態様において、アレルギーは被験者を０．０１と７．０ｐｐｍとの間の範囲のレベルのＰＨＰＧに施設において継続的に曝すことによって管理可能である。特定の態様において、被験者は丸１日未満にわたって０．０１から５．０ｐｐｍの範囲のＰＨＰＧに曝してよい。一態様において、被験者は、１日当たり少なくとも１、２、３、４、５、６、７、または、少なくとも８時間にわたってこれらのＰＨＰＧ濃度に曝してよい。別の態様において、被験者は、少なくとも８時間にわたって少なくとも１．０、２．０、３．０、４．０、５．０、６．０、または、少なくとも７．０ｐｐｍのＰＨＰＧを含む環境に曝してよい。
【０１４４】
本開示は、少なくとも０．０２ｐｐｍのＰＨＰＧ濃度を有する環境に被験者を曝す工程を含む喘息を管理するための方法を提供し、かつ、含む。一態様において、ＰＨＰＧの濃度は少なくとも０．０５ｐｐｍであってよい。一態様において、ＰＨＰＧの濃度は少なくとも０．１ｐｐｍであってよい。別の態様において、ＰＨＰＧ濃度は少なくとも０．２ｐｐｍであってよい。さらに別の態様において、ＰＨＰＧ濃度は少なくとも０．２５ｐｐｍであってよい。一態様において、ＰＨＰＧの濃度は少なくとも０．４ｐｐｍまたは少なくとも０．５ｐｐｍであってよい。一態様において、ＰＨＰＧの濃度は少なくとも０．６または少なくとも０．７ｐｐｍであってよい。別の態様において、ＰＨＰＧ濃度は最大で１．０ｐｐｍであってよい。さらに別の態様において、ＰＨＰＧ濃度は０．１と７．０ｐｐｍとの間であってよい。
【０１４５】
多くの態様において、喘息は被験者を０．０１と７．０ｐｐｍとの間の範囲のレベルのＰＨＰＧに施設において継続的に曝すことによって管理可能である。特定の態様において、被験者は丸１日未満にわたって０．０１から５．０ｐｐｍの範囲のＰＨＰＧに曝してよい。一態様において、被験者は、１日当たり少なくとも１、２、３、４、５、６、７、または、少なくとも８時間にわたってこれらのＰＨＰＧ濃度に曝してよい。別の態様において、被験者は、少なくとも８時間にわたって少なくとも１．０、２．０、３．０、４．０、５．０、６．０、または、少なくとも７．０ｐｐｍのＰＨＰＧを含む環境に曝してよい。
【０１４６】
本開示は、少なくとも０．０２ｐｐｍのＰＨＰＧ濃度を有する環境に被験者を曝す工程を含む早期接触に伴う肺の症状を管理するための方法を提供し、かつ、含む。一態様において、ＰＨＰＧの濃度は少なくとも０．０５ｐｐｍであってよい。一態様において、ＰＨＰＧの濃度は少なくとも０．１ｐｐｍであってよい。別の態様において、ＰＨＰＧ濃度は少なくとも０．２ｐｐｍであってよい。さらに別の態様において、ＰＨＰＧ濃度は少なくとも０．２５ｐｐｍであってよい。一態様において、ＰＨＰＧの濃度は少なくとも０．４ｐｐｍまたは少なくとも０．５ｐｐｍであってよい。一態様において、ＰＨＰＧの濃度は少なくとも０．６または少なくとも０．７ｐｐｍであってよい。別の態様において、ＰＨＰＧ濃度は最大で１．０ｐｐｍであってよい。さらに別の態様において、ＰＨＰＧ濃度は０．１と７．０ｐｐｍとの間であってよい。
【０１４７】
多くの態様において、早期接触に伴う肺の症状は被験者を０．０１と７．０ｐｐｍとの間の範囲のレベルのＰＨＰＧに施設において継続的に曝すことによって管理可能である。特定の態様において、被験者は丸１日未満にわたって０．０１から５．０ｐｐｍの範囲のＰＨＰＧに曝してよい。一態様において、被験者は、１日当たり少なくとも１、２、３、４、５、６、７、または、少なくとも８時間にわたってこれらのＰＨＰＧ濃度に曝してよい。別の態様において、被験者は、少なくとも８時間にわたって少なくとも１．０、２．０、３．０、４．０、５．０、６．０、または、少なくとも７．０ｐｐｍのＰＨＰＧを含む環境に曝してよい。
【０１４８】
本開示は、少なくとも０．０２ｐｐｍのＰＨＰＧ濃度を有する環境に被験者を曝す工程を含む嚢胞性線維症を管理するための方法を提供し、かつ、含む。一態様において、ＰＨＰＧの濃度は少なくとも０．０５ｐｐｍであってよい。一態様において、ＰＨＰＧの濃度は少なくとも０．１ｐｐｍであってよい。別の態様において、ＰＨＰＧ濃度は少なくとも０．２ｐｐｍであってよい。さらに別の態様において、ＰＨＰＧ濃度は少なくとも０．２５ｐｐｍであってよい。一態様において、ＰＨＰＧの濃度は少なくとも０．４ｐｐｍまたは少なくとも０．５ｐｐｍであってよい。一態様において、ＰＨＰＧの濃度は少なくとも０．６または少なくとも０．７ｐｐｍであってよい。別の態様において、ＰＨＰＧ濃度は最大で１．０ｐｐｍであってよい。さらに別の態様において、ＰＨＰＧ濃度は０．１と７．０ｐｐｍとの間であってよい。
【０１４９】
多くの態様において、嚢胞性線維症は被験者を０．０１と７．０ｐｐｍとの間の範囲のレベルのＰＨＰＧに施設において継続的に曝すことによって管理可能である。特定の態様において、被験者は丸１日未満にわたって０．０１から５．０ｐｐｍの範囲のＰＨＰＧに曝してよい。一態様において、被験者は、１日当たり少なくとも１、２、３、４、５、６、７、または、少なくとも８時間にわたってこれらのＰＨＰＧ濃度に曝してよい。別の態様において、被験者は、少なくとも８時間にわたって少なくとも１．０、２．０、３．０、４．０、５．０、６．０、または、少なくとも７．０ｐｐｍのＰＨＰＧを含む環境に曝してよい。
【０１５０】
当業者は、上述の方法におけるＰＨＰＧへの曝露の長さおよびＰＨＰＧへの曝露の総数が、同様の、または、向上した効果を達成するために変化可能であることを理解されよう。当業者は、ＰＨＰＧのより高い濃度またはＰＨＰＧへのより長い曝露期間がさらなる改善をもたらすか否かを必要以上の実験をせずに決定可能である。上記に列挙したＰＨＰＧの各濃度について、曝露の長さは１日当たり０．５時間を超えてもよく、または、２４時間未満であってよい。曝露の長さは１日で少なくとも４時間、または、少なくとも８時間であってよい。ＰＨＰＧへのこれらの曝露は、より大きな恩恵を達成するために必要な回数だけ反復可能である。
【０１５１】
好ましい態様を参照して本開示を説明した一方、当業者は、本開示の範囲から逸脱せずに特定の状況に適応させるために、それらの態様の各要素に対して様々な変更が可能であり、かつ、同等物が代用可能であることを理解されよう。したがって、本開示が、本開示を実施するために考えられる最良の形態として開示した特定の態様には限定されないが、本開示が従属する特許請求の範囲の範囲および精神に該当する全ての態様を含むことを意図している。
【実施例】
【０１５２】
実施例１：家庭内でＰＨＧＰ技術を使用している４つの家族
【０１５３】
生まれたばかりから６歳の４人の子供を含む合計１３人の４つの被験者家族の家庭においてＰＨＧＰ技術を展開した。３年間の期間にわたって、ＰＨＰＧ技術を使用していた間、被験者は、職場、公共の場所、ならびに、デイケアおよび学校の各環境での広範かつ定期的な曝露にもかかわらず、１人も風邪、インフルエンザ、または、他の呼吸器疾患に感染しなかった。曝露の期間は、少なくとも約０．２ｐｐｍのＰＨＰＧレベルで毎日約８時間から約２４時間の範囲にあったと推定される。ＰＨＰＧ含有環境への不連続な曝露は呼吸器感染症への抵抗力に対して悪影響を有さなかった。呼吸器感染症への抵抗力は、保護下の環境を超えて広がり、呼吸器系の先天的防御機構に対するＰＨＰＧの存在下での居住の持続的な効果を実証しているようであった。
【０１５４】
実施例２：メジャーリーグ・バスケットボール・チーム春季練習
【０１５５】
２０１４年１月にメジャーリーグ・バスケットボール・チームのフロリダ州の施設にＰＨＰＧ技術を設置した。毎年、春季練習および入団テストのために、３００人を超える経験豊かな、および、有望な選手たちが１月に始まるトレーニングのためのフロリダ州に移動する。選手たちは米国内の全ての地域、および、近代的な医療および衛生が限られている国々を含めた他の国々から集まってくる。そのため、これらの様々な選手たちは、彼らの出身地から様々な疾病を持ち込み、これが、前年までに選手集団を介して広がっている。歴史的に見ると、１０週間にわたって、２人から５人の選手が１週間当たり練習日を３日から４日失っている。２０１４年の練習および入団テストの期間中、ＰＨＰＧ含有環境に曝した場合、春季練習の間、１人の選手だけが病気のために練習日を１日失った。選手たちは、ウエイト・トレーニング室、食堂、および、医療施設などの施設を利用する間、平均で約０．３ｐｐｍのＰＨＰＧレベルで１日当たり約４時間にわたってＰＨＰＧ環境に曝されたことが推測される。平均的な選手がＰＨＰＧ含有環境に曝された時間の長さが限られていたことを考えると、チーム全体の健康の大幅かつ注目すべき改善は予想外であった。曝露が限られていたことを考えると、感染症への抵抗力は環境を超えて発揮されたようであり、呼吸器系の先天的な防御機構に及ぼすＰＨＰＧへの曝露の持続的な効果を実証している。選手たちは、環境の外での一般大衆との接触にもかかわらず、感染率の低減を示した。
【０１５６】
実施例３：マスタード剤への曝露
【０１５７】
２００７年、以前１９９２年に硫化クロロメチルメチルに曝されていた個人の住居に、試験の目的で試作品のＰＨＰＧ生成装置を設置した。硫化クロロメチルメチルへの曝露は、５０％を超える肺機能の一時的喪失を一時的にもたらし、その後、その一部が回復した。被験者の個人は、２００４年と２００６年との間の期間、マンハッタンで働き、公共交通機関を定期的に利用し、冬の何カ月かの間に慢性気管支炎に、ならびに、定期的に風邪およびインフルエンザに苦しんでいた。試作品のＰＨＰＧ生成装置の設置の後、被験者は、推定で約０．０５ｐｐｍのＰＨＰＧレベルを有する彼のアパート内で１日当たり平均で８時間過ごした。マンハッタンでの事務所での仕事および毎日の公共交通機関での通勤を含めて、通常の日々の定例的な活動は維持した。２００７年の秋と２００８年の春との間の期間、被験者は、彼のアパートの保護された環境の外にいる間の定期的な毎日の曝露にもかかわらず、試作品を得た後は、気管支炎、風邪、または、インフルエンザに苦しむことはなかった。曝露が限られていたことを考えると、感染症に対する抵抗力は環境を超えて発揮されたようであり、ＰＨＰＧ含有環境に毎日曝した被験者に及ぼすＰＨＰＧへの曝露の持続的な効果を実証するものである。
【図１Ａ】
2020151500.tif 000005
【図１Ｂ】
2020151500.tif 000006
【図１Ｃ】
2020151500.tif 000007
【図１Ｄ】
2020151500.tif 000008
【図２Ａ】
2020151500.tif 000009
【図２Ｂ】
2020151500.tif 000010
【図２Ｃ】
2020151500.tif 000011
【図２Ｄ】
2020151500.tif 000012
【図２Ｅ】
2020151500.tif 000013
【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
被験者の呼吸器疾病を治療するための精製過酸化水素ガス（ＰＨＰＧ）を調製するための装置の使用であって：
０．０１５百万分率（ｐｐｍ）のオゾンを有する非−水和過酸化水素ガスを発生させ；および前記過酸化水素ガスを環境に提供することを含み、前記環境が前記ＰＨＰＧを０．０１〜１．０ｐｐｍの最終濃度で蓄積する、使用。
【請求項２】
前記環境が０．０１〜０．１ｐｐｍである最終濃度を含む、請求項１に記載の装置の使用。
【請求項３】
前記呼吸器疾病がウイルス、細菌または真菌の感染症から選択される呼吸器感染症である、請求項１に記載の装置の使用。
【請求項４】
前記治療が前記呼吸器感染症の重篤度を低減することを含む、請求項１に記載の装置の使用。
【請求項５】
前記呼吸器感染症の前記重篤度の低減が緩和医薬品の必要性の低減を含む、請求項４に記載の装置の使用。
【請求項６】
処方薬の数を減少する、請求項１に記載の装置の使用。
【請求項７】
前記治療が前記呼吸器感染症の持続期間を短縮することを含む、請求項１に記載の装置の使用。
【請求項８】
前記呼吸器感染症が、重症急性呼吸器症候群（ＳＡＲＳ）、中東呼吸器症候群（ＭＥＲＳ）、インフルエンザ、ライノウイルス感染症、パラインフルエンザ感染症および呼吸器合胞体ウイルス感染症からなる群から選択されることを特徴とする、請求項３に記載の装置の使用。
【請求項９】
０．０１〜１．０ｐｐｍの濃度で精製過酸化水素ガス（ＰＨＰＧ）を含む、呼吸器疾病を治療するための医薬。
【請求項１０】
前記呼吸器疾病が、重症急性呼吸器症候群（ＳＡＲＳ）、中東呼吸器症候群（ＭＥＲＳ）、インフルエンザ、ライノウイルス感染症、パラインフルエンザ感染症および呼吸器合胞体ウイルス感染症からなる群から選択されることを特徴とする、請求項９に記載の医薬。
【請求項１１】
精製過酸化水素ガス（ＰＨＰＧ）を含む環境を調製するためのＰＨＰＧ発生装置を含む、呼吸器疾病を治療するためのキット。
【請求項１２】
前記呼吸器疾病が、重症急性呼吸器症候群（ＳＡＲＳ）、中東呼吸器症候群（ＭＥＲＳ）、インフルエンザ、ライノウイルス感染症、パラインフルエンザ感染症および呼吸器合胞体ウイルス感染症からなる群から選択されることを特徴とする、請求項１１に記載のキット。
【外国語明細書】
2020151500000001.pdf